(57)【要約】【課題】従来にないタイプの広告媒体を提供でき、かつ、広告費を安価とすることができる装置及び方法を提供する。【解決手段】広告を付した物品である広告掲載物の取得を希望する物品取得希望者がコンピュータ端末を用いてサーバ側端末にアクセスした場合に、物品の種類を選択する画面と、選択した種類に応じた詳細指定画面Ｔ２と、該物品取得希望者についての情報を入力するユーザ情報入力画面が表示されるので、これに入力することにより、サーバ側端末に設けられた申込み管理テーブルに記憶される。そして、広告掲載物の提供を希望する物品提供希望者がサーバ側端末にアクセスすると、申込み管理テーブルに記憶された内容が表示され、所望の申込みに対して、広告掲載物提供の申込みを行うことができる。【選択図】　　　　図６
2004118358.tif 000002
【特許請求の範囲】
【請求項１】
広告を付した物品である広告掲載物の取得を希望する物品取得希望者と、広告掲載物の提供を希望する広告希望者との間の仲介を行うサーバコンピュータであって、
１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータを記憶する第１入力画面データ記憶手段と、
該第１入力画面を物品取得希望者側の端末である物品取得希望者側端末に表示するために、該第１入力画面データ記憶手段に記憶されている第１入力画面データを該物品取得希望者側端末に送信する第１入力画面データ送信手段と、
物品取得希望者からの申込みに関する情報と広告希望者からの申込みに関する情報を記憶する管理データ記憶手段と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに該管理データ記憶手段に登録する第１登録手段と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータを記憶する第２入力画面データ記憶手段と、
該第２入力画面を広告希望者側の端末である広告希望者側端末に表示するために、該第２入力画面データ記憶手段に記憶されている第２入力画面データを該広告希望者側端末に送信する第２入力画面データ送信手段と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録手段と、を有することを特徴とするサーバコンピュータ。
【請求項２】
上記第１入力画面が、
広告掲載物についての物品の種類であって、複数の種類から所望の種類を選択する入力が可能な物品種類選択画面と、
該物品種類選択画面において選択された種類の物品について、該物品についての属性であって複数の選択肢が定められた属性の中から所望の選択肢を選択する入力が可能であるとともに、希望する個数についての情報を入力するための詳細指定画面と、
を有することを特徴とする請求項１に記載のサーバコンピュータ。
【請求項３】
上記管理データ記憶手段には、広告掲載物取得の申込みごとに、
上記物品取得希望者情報における少なくとも一部の情報と、
広告掲載物についての物品に関する情報である物品情報であって、物品の種類についての情報と、物品の属性における選択された選択肢についての情報と、希望する個数についての情報と、を有する物品情報と、
上記広告希望者情報における少なくとも一部の情報と、
が記憶されることを特徴とする請求項２に記載のサーバコンピュータ。
【請求項４】
上記物品取得希望者情報が、複数の構成員からなる団体の団体名についての情報である団体名情報と、団体の活動場所についての情報である活動場所情報と、団体の種類についての情報である団体種類情報と、を含むことを特徴とする請求項１又は２又は３に記載のサーバコンピュータ。
【請求項５】
広告を付した物品である広告掲載物の取得を希望する物品取得希望者と、広告掲載物の提供を希望する広告希望者との間の仲介を行うサーバコンピュータであって、
１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段と、
該第１入力画面を物品取得希望者側の端末である物品取得希望者側端末に表示するために、データ記憶手段に記憶されている第１入力画面データを該物品取得希望者側端末に送信する第１入力画面データ送信手段と、
物品取得希望者からの申込みに関する情報と広告希望者からの申込みに関する情報を記憶する管理データ記憶手段と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに該管理データ記憶手段に登録する第１登録手段と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータを記憶する第２入力画面データ記憶手段と、
該第２入力画面を広告希望者側の端末である広告希望者側端末に表示するために、該第２入力画面データ記憶手段に記憶されている第２入力画面データを該広告希望者側端末に送信する第２入力画面データ送信手段と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録手段と、を有し、
該管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されることを特徴とするサーバコンピュータ。
【請求項６】
上記属性が、物品の色及びサイズであることを特徴とする請求項４又は５に記載のサーバコンピュータ。
【請求項７】
上記広告掲載物についての物品が、スポーツ用の衣服その他の衣服であることを特徴とする請求項１又は２又は３又は４又は５又は６に記載のサーバコンピュータ。
【請求項８】
上記サーバコンピュータが、さらに、
上記第２入力画面が広告希望者側端末に表示されている状態で、広告希望者側端末において所定の操作が行われた場合に、広告掲載物の提供に掛かる費用の見積り額を算出する見積り手段を有することを特徴とする請求項１又は２又は３又は４又は５又は６又は７に記載のサーバコンピュータ。
【請求項９】
上記サーバコンピュータが、さらに、
管理データ記憶手段に記憶されているデータを表示する表示手段を有することを特徴とする請求項１又は２又は３又は４又は５又は６又は７又は８に記載のサーバコンピュータ。
【請求項１０】
サーバコンピュータにより、広告を付した物品である広告掲載物の取得を希望する物品取得希望者と、広告掲載物の提供を希望する広告希望者との間の仲介を行う広告仲介方法であって、
１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータである第１入力画面データを記憶する第１入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに、物品取得希望者からの申込みに関する情報と広告希望者からの申込みに関する情報とを記憶するための管理データ記憶手段に登録する第１登録工程と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末に表示するために、該広告希望者側端末に送信する第２入力画面データ送信工程と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録工程と、を有することを特徴とする広告仲介方法。
【請求項１１】
上記第１入力画面が、
広告掲載物についての物品の種類であって、複数の種類から所望の種類を選択する入力が可能な物品種類選択画面と、
該物品種類選択画面において選択された種類の物品について、該物品についての属性であって複数の選択肢が定められた属性の中から所望の選択肢を選択する入力が可能であるとともに、希望する個数についての情報を入力するための詳細指定画面と、
を有することを特徴とする請求項１０に記載の広告仲介方法。
【請求項１２】
上記管理データ記憶手段には、広告掲載物取得の申込みごとに、
上記物品取得希望者情報における少なくとも一部の情報と、
広告掲載物についての物品に関する情報である物品情報であって、物品の種類についての情報と、物品の属性における選択された選択肢についての情報と、希望する個数についての情報と、を有する物品情報と、
上記広告希望者情報における少なくとも一部の情報と、
が記憶されることを特徴とする請求項１１に記載の広告仲介方法。
【請求項１３】
上記物品取得希望者情報が、複数の構成員からなる団体の団体名についての情報である団体名情報と、団体の活動場所についての情報である活動場所情報と、団体の種類についての情報である団体種類情報と、を含むことを特徴とする請求項１０又は１１又は１２に記載の広告仲介方法。
【請求項１４】
サーバコンピュータにより、広告を付した物品である広告掲載物の取得を希望する物品取得希望者と、広告掲載物の提供を希望する広告希望者との間の仲介を行う広告仲介方法であって、
１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、広告希望者情報における少なくとも一部の情報と、を記憶するための管理データ記憶手段に登録する第１登録工程と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末に表示するために、該広告希望者側端末に送信する第２入力画面データ送信工程と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録工程と、を有することを特徴とする広告仲介方法。
【請求項１５】
上記属性が、物品の色及びサイズであることを特徴とする請求項１３又は１４に記載の広告仲介方法。
【請求項１６】
上記広告掲載物についての物品が、スポーツ用の衣服その他の衣服であることを特徴とする請求項１０又は１１又は１２又は１３又は１４又は１５に記載の広告仲介方法。
【請求項１７】
上記広告仲介方法が、さらに、
上記第２入力画面が広告希望者側端末に表示されている状態で、広告希望者側端末において所定の操作が行われた場合に、広告掲載物の提供に掛かる費用の見積り額を算出する見積り工程を有することを特徴とする請求項１０又は１１又は１２又は１３又は１４又は１５又は１６に記載の広告仲介方法。
【請求項１８】
上記広告仲介方法が、さらに、
管理データ記憶手段に記憶されているデータを表示する表示工程を有することを特徴とする請求項１０又は１１又は１２又は１３又は１４又は１５又は１６又は１７に記載の広告仲介方法。
【発明の詳細な説明】
【０００１】
【発明の属する技術分野】
本発明は、インターネットを介して、広告の仲介を行うためのサーバコンピュータに関するものであり、該サーバコンピュータを用いて広告の仲介を行う広告仲介方法に関するものである。
【０００２】
【従来の技術】
従来、広告媒体としては、新聞、雑誌、テレビ、ラジオを始めとして、屋外広告、電話帳等が知られている。
【０００３】
また、従来の広告においては、企業等の広告主側と新聞社等の広告掲載者側との間に広告代理店が介在するのが通常であり、そのため広告費が高くなるという問題を有していた。
【０００４】
なお、出願人においては、先行技術文献の調査はしていないため、特に記載すべき文献は存在しない。
【０００５】
【発明が解決しようとする課題】
しかし、広告主側においては、従来にないタイプの広告媒体や広告方法が求められていた。また、広告主側においては、広告費を安価にすることが求められていた。
【０００６】
そこで、本発明は、従来にないタイプの広告媒体を提供でき、かつ、広告費を安価とすることができる装置及び方法を提供することを目的とするものである。
【０００７】
【課題を解決するための手段】
本発明は上記問題点を解決するために創作されたものであって、第１には、広告を付した物品である広告掲載物の取得を希望する物品取得希望者と、広告掲載物の提供を希望する広告希望者との間の仲介を行うサーバコンピュータであって、１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータを記憶する第１入力画面データ記憶手段と、該第１入力画面を物品取得希望者側の端末である物品取得希望者側端末に表示するために、該第１入力画面データ記憶手段に記憶されている第１入力画面データを該物品取得希望者側端末に送信する第１入力画面データ送信手段と、物品取得希望者からの申込みに関する情報と広告希望者からの申込みに関する情報を記憶する管理データ記憶手段と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに該管理データ記憶手段に登録する第１登録手段と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータを記憶する第２入力画面データ記憶手段と、該第２入力画面を広告希望者側の端末である広告希望者側端末に表示するために、該第２入力画面データ記憶手段に記憶されている第２入力画面データを該広告希望者側端末に送信する第２入力画面データ送信手段と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録手段と、を有することを特徴とする。
【０００８】
この第１の構成のサーバコンピュータにおいては、該物品取得希望者側端末からの要求に対応する等して、第１入力画面データ送信手段が、該第１入力画面データ記憶手段に記憶されている第１入力画面データを該物品取得希望者側端末に送信する。すると、該物品取得希望者側端末においては、第１入力画面が表示される。そして、この物品取得希望者側端末において、広告掲載物についての物品の種類の情報を入力するとともに、物品取得希望者についての情報である物品取得希望者情報であって、該物品取得希望者情報を特定するための情報からなる物品取得希望者情報を入力すると、第１登録手段により、第１入力画面に入力されたデータ又はこれに対応するデータの少なくとも一部が、広告掲載物取得の申込みごとに該管理データ記憶手段に登録される。一方、該広告希望者側端末からの要求に対応する等して、第２入力画面データ送信手段が、該第２入力画面データ記憶手段に記憶されている第２入力画面データを該広告希望者側端末に送信する。すると、該広告希望者側端末においては、第２入力画面が表示される。そして、この広告希望者側端末において、表示された申込みの中から所望の申込みを選択する入力を行うとともに、広告希望者についての情報であって、広告希望者を特定するための情報である広告希望者情報を入力すると、第２登録手段により、該第２入力画面に入力されたデータ又はこれに対応するデータの少なくとも一部が上記管理データ記憶手段に登録される。
【０００９】
よって、サーバコンピュータの管理者等が、広告希望者から申込みがあった旨を物品取得希望者に伝える等することにより、物品取得希望者と広告希望者との間の仲介を行うことができる。特に、広告掲載物についての物品を、スポーツ団体、文化サークル、町内会、学校等において身近に使用するグッズ（例えば、衣服）とすることにより、従来にない広告媒体、広告方法で広告を行うことができる。特に、広告掲載物を使い続ける限り広告を行うことができるので、宣伝効果が高い。また、広告希望者が申し込むに当たって、広告希望者側のニーズに合った登録案件を選ぶことができるので、広告希望者にとっても利用しやすいといえる。また、特に、サーバコンピュータにアクセスして登録しておけばよいので、従来のように広告代理店が介在することがなく、広告希望者にとっても広告費を安価に押さえることが可能となる。さらに、特に、グッズを入手したい物品取得希望者と、広告を出したい広告希望者とのニーズを容易に調整できるので、双方ともにメリットがある。
【００１０】
なお、上記第１の構成における第１入力画面送信手段の内容を「該物品取得希望者側の端末である物品取得希望者側端末からの要求に対応して、該第１入力画面を該物品取得希望者側端末に表示するために、該第１入力画面データ記憶手段に記憶されている第１入力画面データを該物品取得希望者側端末に送信する第１入力画面データ送信手段」としてもよく、また、第２入力画面送信手段の内容を「該広告希望者側の端末である広告希望者側端末からの要求に対応して、該第２入力画面を該広告希望者側端末に表示するために、該第２入力画面データ記憶手段に記憶されている第２入力画面データを該広告希望者側端末に送信する第２入力画面データ送信手段」としてもよい。
【００１１】
また、第２には、上記第１の構成において、上記第１入力画面が、広告掲載物についての物品の種類であって、複数の種類から所望の種類を選択する入力が可能な物品種類選択画面と、該物品種類選択画面において選択された種類の物品について、該物品についての属性であって複数の選択肢が定められた属性の中から所望の選択肢を選択する入力が可能であるとともに、希望する個数についての情報を入力するための詳細指定画面と、を有することを特徴とする。
【００１２】
これにより、広告掲載物についての物品の種類を選択するとともに、選択した物品の色等の属性の中から選択可能なものを選択し、希望個数についても入力することが可能となる。
【００１３】
また、第３には、上記第１又は第２の構成において、上記管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されることを特徴とする。
【００１４】
これにより、管理データ記憶手段に記憶されているデータを表示することにより、申込み状況、特に、広告掲載物の取得の申込みに対して広告掲載物の提供の申込みがあるか否かを把握することが可能となる。
【００１５】
また、第４には、上記第１から第３までのいずれかの構成において、上記物品取得希望者情報が、複数の構成員からなる団体の団体名についての情報である団体名情報と、団体の活動場所についての情報である活動場所情報と、団体の種類についての情報である団体種類情報と、を含むことを特徴とする。
【００１６】
よって、これらの情報を第２入力画面に表示することにより、広告希望者は、複数の申込みの中から所望のものを選択する際の指標とすることができる。
【００１７】
また、第５には、広告を付した物品である広告掲載物の取得を希望する物品取得希望者と、広告掲載物の提供を希望する広告希望者との間の仲介を行うサーバコンピュータであって、１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段と、該第１入力画面を物品取得希望者側の端末である物品取得希望者側端末に表示するために、データ記憶手段に記憶されている第１入力画面データを該物品取得希望者側端末に送信する第１入力画面データ送信手段と、物品取得希望者からの申込みに関する情報と広告希望者からの申込みに関する情報を記憶する管理データ記憶手段と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに該管理データ記憶手段に登録する第１登録手段と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータを記憶する第２入力画面データ記憶手段と、該第２入力画面を広告希望者側の端末である広告希望者側端末に表示するために、該第２入力画面データ記憶手段に記憶されている第２入力画面データを該広告希望者側端末に送信する第２入力画面データ送信手段と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録手段と、を有し、該管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されることを特徴とする。
【００１８】
この第５の構成のサーバコンピュータにおいては、該物品取得希望者側端末からの要求に対応する等して、第１入力画面データ送信手段が、該第１入力画面データ記憶手段に記憶されている第１入力画面データを該物品取得希望者側端末に送信する。すると、該物品取得希望者側端末においては、第１入力画面が表示される。そして、この物品取得希望者側端末において、広告掲載物についての物品の種類の情報を入力するとともに、物品取得希望者についての情報である物品取得希望者情報であって、該物品取得希望者情報を特定するための情報からなる物品取得希望者情報を入力すると、第１登録手段により、第１入力画面に入力されたデータ又はこれに対応するデータの少なくとも一部が、広告掲載物取得の申込みごとに該管理データ記憶手段に登録される。一方、該広告希望者側端末からの要求に対応する等して、第２入力画面データ送信手段が、該第２入力画面データ記憶手段に記憶されている第２入力画面データを該広告希望者側端末に送信する。すると、該広告希望者側端末においては、第２入力画面が表示される。そして、この広告希望者側端末において、表示された申込みの中から所望の申込みを選択する入力を行うとともに、広告希望者についての情報であって、広告希望者を特定するための情報である広告希望者情報を入力すると、第２登録手段により、該第２入力画面に入力されたデータ又はこれに対応するデータの少なくとも一部が、上記管理データ記憶手段に登録される。
【００１９】
よって、サーバコンピュータの管理者等が、広告希望者から申込みがあった旨を物品取得希望者に伝える等することにより、物品取得希望者と広告希望者との間の仲介を行うことができる。特に、広告掲載物についての物品を、スポーツ団体、文化サークル、町内会、学校等において身近に使用するグッズ（例えば、衣服）とすることにより、従来にない広告媒体、広告方法で広告を行うことができる。特に、広告掲載物を使い続ける限り広告を行うことができるので、宣伝効果が高い。また、広告希望者が申し込むに当たって、広告希望者側のニーズに合った登録案件を選ぶことができるので、広告希望者にとっても利用しやすいといえる。また、特に、サーバコンピュータにアクセスして登録しておけばよいので、従来のように広告代理店が介在することがなく、広告希望者にとっても広告費を安価に押さえることが可能となる。さらに、特に、グッズを入手したい物品取得希望者と、広告を出したい広告希望者とのニーズを容易に調整できるので、双方ともにメリットがある。また、第１入力画面への入力に際して、広告掲載物についての物品の種類を選択するとともに、選択した種類の物品の色等の属性の中から選択可能なものを選択し、希望個数についても入力することが可能となる。また、上記物品取得希望者情報が、上記のように団体名情報と、活動場所情報と、団体種類情報と、を含むので、これらの情報を第２入力画面に表示することにより、広告希望者は、複数の申込みの中から所望のものを選択する際の指標とすることができる。また、該管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されるので、管理データ記憶手段に記憶されているデータを表示することにより、申込み状況、特に、広告掲載物の取得の申込みに対して広告掲載物の提供の申込みがあるか否かを把握することが可能となる。
【００２０】
なお、上記第５の構成における第１入力画面送信手段の内容を「該物品取得希望者側の端末である物品取得希望者側端末からの要求に対応して、該第１入力画面を該物品取得希望者側端末に表示するために、該第１入力画面データ記憶手段に記憶されている第１入力画面データを該物品取得希望者側端末に送信する第１入力画面データ送信手段」としてもよく、また、第２入力画面送信手段の内容を「該広告希望者側の端末である広告希望者側端末からの要求に対応して、該第２入力画面を該広告希望者側端末に表示するために、該第２入力画面データ記憶手段に記憶されている第２入力画面データを該広告希望者側端末に送信する第２入力画面データ送信手段」としてもよい。
【００２１】
また、第６には、上記第４又は第５の構成において、上記属性が、物品の色及びサイズであることを特徴とする。これにより、広告掲載物の色やサイズ等を選択することが可能となる。
【００２２】
また、第７には、上記第１から第６までのいずれかの構成において、上記広告掲載物についての物品が、スポーツ用の衣服その他の衣服であることを特徴とする。このように、広告掲載物を、スポーツ団体、文化サークル、町内会、学校等において通常身近に使用されるものとすることにより、広告宣伝効果を高めることが可能となる。
【００２３】
また、第８には、上記第１から第７までのいずれかの構成において、上記サーバコンピュータが、さらに、上記第２入力画面が広告希望者側端末に表示されている状態で、広告希望者側端末において所定の操作が行われた場合に、広告掲載物の提供に掛かる費用の見積り額を算出する見積り手段を有することを特徴とする。これにより、広告希望者は、広告掲載物を提供することによる費用の概算を知ることができるので、申込みをするか否かの指標とすることができる。
【００２４】
また、第９には、上記第１から第８までのいずれかの構成において、上記サーバコンピュータが、さらに、管理データ記憶手段に記憶されているデータを表示する表示手段を有することを特徴とする。よって、サーバコンピュータの管理者等は、申込み状況、特に、広告掲載物の取得の申込みに対して広告掲載物の提供の申込みがあるか否かを把握することが可能となる。
【００２５】
また、第１０には、サーバコンピュータにより、広告を付した物品である広告掲載物の取得を希望する物品取得希望者と、広告掲載物の提供を希望する広告希望者との間の仲介を行う広告仲介方法であって、１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータである第１入力画面データを記憶する第１入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、該物品取得希望者側端末より受信したデータであって、該第１入力画面に入力されたデータ又はこれに対応するデータ（「該第１入力画面に入力されたデータ」としてもよい）の少なくとも一部を（「該第１入力画面に入力されたデータを」としてもよい）、広告掲載物取得の申込みごとに、物品取得希望者からの申込みに関する情報と広告希望者からの申込みに関する情報とを記憶するための管理データ記憶手段に登録する第１登録工程と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末に表示するために、該広告希望者側端末に送信する第２入力画面データ送信工程と、該広告希望者側端末より受信したデータであって、該第２入力画面に入力されたデータ又はこれに対応するデータ（「該第２入力画面に入力されたデータ」としてもよい）の少なくとも一部を（「該第２入力画面に入力されたデータを」としてもよい）、上記管理データ記憶手段に登録する第２登録工程と、を有することを特徴とする。
【００２６】
この第１０の構成の広告仲介方法においては、該物品取得希望者側端末からの要求に対応する等して、第１入力画面データ送信工程において、該第１入力画面データ記憶手段に記憶されている第１入力画面データが該物品取得希望者側端末に送信される。すると、該物品取得希望者側端末においては、第１入力画面が表示される。そして、この物品取得希望者側端末において、広告掲載物についての物品の種類の情報を入力するとともに、物品取得希望者についての情報である物品取得希望者情報であって、該物品取得希望者情報を特定するための情報からなる物品取得希望者情報を入力すると、第１登録工程において、第１入力画面に入力されたデータにおける少なくとも一部又は第１入力画面に入力されたデータに対応するデータの少なくとも一部が、広告掲載物取得の申込みごとに該管理データ記憶手段に登録される。一方、該広告希望者側端末からの要求に対応する等して、第２入力画面データ送信工程において、該第２入力画面データ記憶手段に記憶されている第２入力画面データが該広告希望者側端末に送信される。すると、該広告希望者側端末においては、第２入力画面が表示される。そして、この広告希望者側端末において、表示された申込みの中から所望の申込みを選択する入力を行うとともに、広告希望者についての情報であって、広告希望者を特定するための情報である広告希望者情報を入力すると、第２登録工程において、該第２入力画面に入力されたデータの少なくとも一部又は第２入力画面に入力されたデータに対応するデータの少なくとも一部が、が上記管理データ記憶手段に登録される。
【００２７】
よって、サーバコンピュータの管理者等が、広告希望者から申込みがあった旨を物品取得希望者に伝える等することにより、物品取得希望者と広告希望者との間の仲介を行うことができる。特に、広告掲載物についての物品を、スポーツ団体、文化サークル、町内会、学校等において身近に使用するグッズ（例えば、衣服）とすることにより、従来にない広告媒体、広告方法で広告を行うことができる。特に、広告掲載物を使い続ける限り広告を行うことができるので、宣伝効果が高い。また、広告希望者が申し込むに当たって、広告希望者側のニーズに合った登録案件を選ぶことができるので、広告希望者にとっても利用しやすいといえる。また、特に、サーバコンピュータにアクセスして登録しておけばよいので、従来のように広告代理店が介在することがなく、広告希望者にとっても広告費を安価に押さえることが可能となる。さらに、特に、グッズを入手したい物品取得希望者と、広告を出したい広告希望者とのニーズを容易に調整できるので、双方ともにメリットがある。
【００２８】
なお、この第１０の構成における上記第１入力画面データ送信工程の内容を「１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者情報を特定するための情報からなる物品取得希望者情報を入力するための該第１入力画面のデータである第１入力画面データを記憶する第１入力画面データ記憶手段に記憶されている第１入力画面データを、該第１入力画面を物品取得希望者側の端末である物品取得希望者側端末からの要求に対応して、該物品取得希望者側端末に表示するために、該物品取得希望者側端末に送信する第１入力画面データ送信工程」としてもよく、また、上記第２入力画面データ送信工程の内容を「１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末からの要求に対応して、該広告希望者側端末に表示するために、該広告希望者側端末に送信する第２入力画面データ送信工程」としてもよい。
【００２９】
また、第１１には、上記第１０の構成において、上記第１入力画面が、広告掲載物についての物品の種類であって、複数の種類から所望の種類を選択する入力が可能な物品種類選択画面と、該物品種類選択画面において選択された種類の物品について、該物品についての属性であって複数の選択肢が定められた属性の中から所望の選択肢を選択する入力が可能であるとともに、希望する個数についての情報を入力するための詳細指定画面と、を有することを特徴とする。
【００３０】
これにより、広告掲載物についての物品の種類を選択するとともに、選択した物品の色等の属性の中から選択可能なものを選択し、希望個数についても入力することが可能となる。
【００３１】
また、第１２には、上記第１０又は第１１の構成において、上記管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されることを特徴とする。
【００３２】
これにより、管理データ記憶手段に記憶されているデータを表示することにより、申込み状況、特に、広告掲載物の取得の申込みに対して広告掲載物の提供の申込みがあるか否かを把握することが可能となる。
【００３３】
また、第１３には、上記第１０から第１２までのいずれかの構成において、上記物品取得希望者情報が、複数の構成員からなる団体の団体名についての情報である団体名情報と、団体の活動場所についての情報である活動場所情報と、団体の種類についての情報である団体種類情報と、を含むことを特徴とする。
【００３４】
よって、これらの情報を第２入力画面に表示することにより、広告希望者は、複数の申込みの中から所望のものを選択する際の指標とすることができる。
【００３５】
また、第１４には、サーバコンピュータにより、広告を付した物品である広告掲載物の取得を希望する物品取得希望者と、広告掲載物の提供を希望する広告希望者との間の仲介を行う広告仲介方法であって、１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、広告希望者情報における少なくとも一部の情報と、を記憶するための管理データ記憶手段に登録する第１登録工程と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末に表示するために、該広告希望者側端末に送信する第２入力画面データ送信工程と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録工程と、を有することを特徴とする。
【００３６】
この第１４の構成の広告仲介方法においては、該物品取得希望者側端末からの要求に対応する等して、第１入力画面データ送信工程において、該第１入力画面データ記憶手段に記憶されている第１入力画面データが該物品取得希望者側端末に送信される。すると、該物品取得希望者側端末においては、第１入力画面が表示される。そして、この物品取得希望者側端末において、広告掲載物についての物品の種類の情報を入力するとともに、物品取得希望者についての情報である物品取得希望者情報であって、該物品取得希望者情報を特定するための情報からなる物品取得希望者情報を入力すると、第１登録工程において、第１入力画面に入力されたデータ又はこれに対応するデータの少なくとも一部が、広告掲載物取得の申込みごとに該管理データ記憶手段に登録される。一方、該広告希望者側端末からの要求に対応する等して、第２入力画面データ送信手段において、該第２入力画面データ記憶手段に記憶されている第２入力画面データが該広告希望者側端末に送信される。すると、該広告希望者側端末においては、第２入力画面が表示される。そして、この広告希望者側端末において、表示された申込みの中から所望の申込みを選択する入力を行うとともに、広告希望者についての情報であって、広告希望者を特定するための情報である広告希望者情報を入力すると、第２登録工程により、該第２入力画面に入力されたデータ又はこれに対応するデータの少なくとも一部が、が上記管理データ記憶手段に登録される。
【００３７】
よって、サーバコンピュータの管理者等が、広告希望者から申込みがあった旨を物品取得希望者に伝える等することにより、物品取得希望者と広告希望者との間の仲介を行うことができる。特に、広告掲載物についての物品を、スポーツ団体、文化サークル、町内会、学校等において身近に使用するグッズ（例えば、衣服）とすることにより、従来にない広告媒体、広告方法で広告を行うことができる。特に、広告掲載物を使い続ける限り広告を行うことができるので、宣伝効果が高い。また、広告希望者が申し込むに当たって、広告希望者側のニーズに合った登録案件を選ぶことができるので、広告希望者にとっても利用しやすいといえる。また、特に、サーバコンピュータにアクセスして登録しておけばよいので、従来のように広告代理店が介在することがなく、広告希望者にとっても広告費を安価に押さえることが可能となる。さらに、特に、グッズを入手したい物品取得希望者と、広告を出したい広告希望者とのニーズを容易に調整できるので、双方ともにメリットがある。また、第１入力画面への入力に際して、広告掲載物についての物品の種類を選択するとともに、選択した種類の物品の色等の属性の中から選択可能なものを選択し、希望個数についても入力することが可能となる。また、上記物品取得希望者情報が、上記のように団体名情報と、活動場所情報と、団体種類情報と、を含むので、これらの情報を第２入力画面に表示することにより、広告希望者は、複数の申込みの中から所望のものを選択する際の指標とすることができる。また、該管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されるので、管理データ記憶手段に記憶されているデータを表示することにより、申込み状況、特に、広告掲載物の取得の申込みに対して広告掲載物の提供の申込みがあるか否かを把握することが可能となる。
【００３８】
なお、この第１４の構成における上記第１入力画面データ送信工程の内容を「１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段に記憶されている第１入力画面データを、該第１入力画面を物品取得希望者側の端末である物品取得希望者側端末からの要求に対応して、該物品取得希望者側端末に表示するために、該物品取得希望者側端末に送信する第１入力画面データ送信工程」としてもよく、また、上記第２入力画面データ送信工程の内容を「１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末からの要求に対応して、該広告希望者側端末に表示するために、該広告希望者側端末に送信する第２入力画面データ送信工程」としてもよい。
【００３９】
また、第１５には、上記第１３又は第１４の構成において、上記属性が、物品の色及びサイズであることを特徴とする。これにより、広告掲載物の色やサイズ等を選択することが可能となる。
【００４０】
また、第１６には、上記第１０から第１５までのいずれかの構成において、上記広告掲載物についての物品が、スポーツ用の衣服その他の衣服であることを特徴とする。このように、広告掲載物についての物品を、スポーツ団体、文化サークル、町内会、学校等において通常身近に使用されるものとすることにより、広告宣伝効果を高めることが可能となる。
【００４１】
また、第１７には、上記第１０から第１６までのいずれかの構成において、上記広告仲介方法が、さらに、上記第２入力画面が広告希望者側端末に表示されている状態で、広告希望者側端末において所定の操作が行われた場合に、広告掲載物の提供に掛かる費用の見積り額を算出する見積り工程を有することを特徴とする。これにより、広告希望者は、広告掲載物を提供することによる費用の概算を知ることができるので、申込みをするか否かの指標とすることができる。
【００４２】
また、第１８には、上記第１０から第１７までのいずれかの構成において、上記広告仲介方法が、さらに、管理データ記憶手段に記憶されているデータを表示する表示工程を有することを特徴とする。よって、サーバコンピュータの管理者等は、申込み状況、特に、広告掲載物の取得の申込みに対して広告掲載物の提供の申込みがあるか否かを把握することが可能となる。
【００４３】
【発明の実施の形態】
本発明の実施の形態としての実施例を図面を利用して説明する。本発明に基づくサーバコンピュータとしてのサーバ側端末（「サーバー側端末」としてもよい。以下においても同じ）Ａは、インターネットを介して外部の端末と接続可能となっている。つまり、図１に示すように、サーバ側端末Ａは、登録者側端末（物品取得希望者側端末）Ｂ、広告希望者側端末Ｃ等とインターネットを介して通信可能となっている。このサーバ側端末Ａは、登録者側端末Ｂや広告希望者側端末Ｃと、電気通信回線（有線及び無線を含む）により接続されているともいえる。
【００４４】
ここで、サーバ側端末Ａの構成について説明すると、サーバ側端末Ａは、図１に示すように、通信部１０と、記憶部２０と、ＣＰＵ３０とを有している。
【００４５】
ここで、通信部１０は、外部とのデータの入出力を制御するものであり、インターネットを介して外部との通信を可能とする通信装置により構成される。つまり、この通信部１０は、外部とのインターフェースとして機能するものである。
【００４６】
また、記憶部２０は、各種情報を記憶するための記憶装置であり、主として、補助記憶装置として機能する。この記憶部２０は、プログラム格納部２２と、データ格納部２４とを有している。
【００４７】
このプログラム格納部２２は、サーバ側端末Ａを動作させるための各種プログラムを格納する記憶部であり、主としてＣＰＵ３０の動作を制御するためのプログラムを格納する。このプログラムとしては、外部の端末からアクセスされた場合に所定の画面を表示させるためのプログラムである画面表示プログラムや、外部の端末における入力に基づいて受信したデータを検知するためのプログラムである入力検知プログラムや、登録者情報テーブルＪや申込み管理テーブルＫ（図３参照）へのデータの書込み・変更等管理テーブルＫを管理するためのプログラムである管理プログラムや、ユーザが設定した検索条件に基づいて行なう検索等の検索を行うプログラムである検索プログラムや、見積り額を計算するためのプログラムである見積りプログラム等が挙げられる。なお、画面表示プログラムには、登録者側端末Ｂからアクセスされた場合に所定の画面を該登録者側端末Ｂに表示させるためのプログラムや、広告希望者側端末Ｃからアクセスされた場合に所定の画面を該登録者側端末Ｂに表示させるためのプログラムが含まれる。このプログラム格納部２２は、記憶装置に各プログラムを格納した状態で構成される。
【００４８】
また、データ格納部２４は、各種データを記憶するための記憶部であり、表示データ格納部と、ユーザデータ格納部等を有している。このデータ格納部２４は、具体的には、記憶装置により構成される。
【００４９】
ここで、上記表示データ格納部は、各種画像データを記憶するものであり、外部端末に表示を行うための各種表示データが記憶されている。なお、表示データ格納部に記憶される各データは、登録者側端末Ｂからアクセスがあった場合（つまり、登録者側端末Ｂから、広告媒体となる物品（以下「グッズ」と記すこともある）（広告掲載物についての物品）の選択等により、広告が付された物品の取得の申込みを行うための宛先にアクセスがあった場合）と、広告希望者側端末Ｃからアクセスがあった場合（つまり、広告希望者側端末Ｃから、広告が付された物品の取得の申込みを閲覧するための宛先にアクセスがあった場合）とで別々に記憶されている。
【００５０】
つまり、登録者側端末Ｂからアクセスがあった場合の画面データとして、図４〜図７に示す各画面のデータである画面データ等が格納されている。つまり、初期画面（物品種類選択画面）Ｔ１、詳細指定画面Ｔ２、ユーザ情報入力画面Ｔ３についての各画像データが記憶されている。なお、詳細指定画面Ｔ２については、グッズの種類に応じてデータが記憶されている。つまり、この表示データ格納部は、上記第１入力画面データ記憶手段に当たる。また、初期画面Ｔ１、詳細指定画面Ｔ２、ユーザ情報入力画面Ｔ３は、上記第１入力画面に当たる。また、広告希望者側端末Ｃからアクセスがあった場合の画面データとしては、図１０に示す初期画面Ｔ１０や、図１１に示す登録状況一覧画面Ｔ１１や、広告希望者情報を入力するための広告希望者情報入力画面についての各画像データが記憶されている。つまり、この表示データ格納部は、上記第２入力画面データ記憶手段に当たる。また、初期画面Ｔ１０や、登録状況一覧画面Ｔ１１や、広告希望者情報を入力するための広告希望者情報入力画面は、上記第２入力画面に当たる。
【００５１】
また、上記ユーザデータ格納部には、登録者情報テーブルＪ（図２参照）や、申込み管理テーブルＫ（図３参照）等が記憶されている。
【００５２】
ここで、登録者情報テーブルＪは、図２に示すように、団体情報と代表者情報とＩＤ等情報からなり、団体情報は、団体名、団体活動場所−県、団体活動場所−詳細、活動種別、具体的な活動内容、団体構成、平均年齢、広告掲載拒否業種、活動ペース、スポンサーへのＰＲ等の情報から構成されている。この団体情報における各情報は、登録者側端末Ｂからユーザ情報入力画面Ｔ３において入力された内容に基づいて記憶される。各情報の内容については後述する。また、代表者情報は、その団体の代表者についての情報であり、氏名、年齢、性別、郵便番号、電話番号、県名、市町村番地、マンション名等、メールアドレス等の情報から構成されている。この代表者情報における各情報も、登録者側端末Ｂからユーザ情報入力画面Ｔ３において入力された内容に基づいて記憶される。また、ＩＤ等情報は、ＩＤとパスワード等の情報から構成されている。ここで、ＩＤは、登録者が登録者側端末Ｂにより登録者の登録を行った場合に、登録者側端末Ｂに自動的に付与されるものであり、この付与されたＩＤがこのＩＤ等情報に記憶される。また、パスワードについては、登録者が登録者側端末Ｂにより登録者の登録を行った場合に、登録者側端末Ｂに自動的に付与されるか又は登録者により決定されたものである。以上のように、登録者情報テーブルＪは、各登録者ごとに団体情報、代表者情報、ＩＤ等情報が記憶されるものである。
【００５３】
また、申込み管理テーブルＫは、図３に示すように、団体情報とグッズ情報（物品情報）と広告希望者情報とからなり、団体情報は、団体名、団体活動場所−県、団体種別、団体構成、代表者氏名、ＩＤから構成されている。この団体情報における各情報は、登録者側端末Ｂからユーザ情報入力画面Ｔ３において入力された内容に基づいて記憶される。また、グッズ情報は、グッズ種類、色、個数の情報から構成されている。このグッズ情報における各情報は、初期画面Ｔ１や詳細指定画面Ｔ２において入力された内容に基づいて記憶される。また、広告希望者情報は、名称（氏名）、代表者名、住所、電話番号、メールアドレスの情報から構成されている。これは、広告希望者側端末Ｃから、広告希望者情報入力画面（図示せず）において入力された内容に従って記憶されるものである。
【００５４】
この申込み管理テーブルＫにおいては、登録者側端末Ｂからグッズ取得の申込みがあった（つまり、初期画面Ｔ１、詳細指定画面Ｔ２、ユーザ情報入力画面Ｔ３により申込みがあった）場合に団体情報とグッズ情報が登録され、広告希望者側端末Ｃからスポンサーとなる申込みがあった（つまり、登録状況一覧画面Ｔ１１等により申込みがあった）場合に、広告希望者情報が登録されるのである。
【００５５】
なお、上記申込み管理テーブルＫは、上記管理データ記憶手段に当たる。
【００５６】
また、ＣＰＵ３０は、サーバ側端末Ａにおける各部の動作を制御するものであり、制御装置、演算装置、主記憶装置としての機能を有し、特に、プログラム格納部２２に格納された各プログラムに従い、以下に示すフローチャートに示すように動作する。
【００５７】
また、登録者側端末Ｂと広告希望者側端末Ｃは、サーバ側端末Ａとインターネットを介して接続可能なコンピュータであり、ＣＲＴ、ＬＣＤ等の表示部や、キーボード、マウス等の入力部を備えている。なお、登録者側端末Ｂは、広告を付した物品である広告掲載物の取得を希望する側の端末であり、広告希望者側端末Ｃは、広告掲載物の提供を希望する側の端末である。
【００５８】
なお、上記サーバ側端末Ａと、登録者側端末Ｂと、広告希望者側端末Ｃとで、広告仲介システムＷが構成される。
【００５９】
次に、サーバ側端末Ａと、これを含む広告仲介システムＷの動作、特に、サーバ側端末Ａにより行われる広告仲介方法について説明する。
【００６０】
なお、サーバ側端末Ａから登録者側端末Ｂに初期画面Ｔ１等の各画面を表示させたり、広告希望者側端末Ｃ等に登録状況一覧画面Ｔ１１等の各画面を表示させるに際しては、その画面の表示データ、つまり、ｈｔｍｌ形式のデータを該端末に送信して、これを受信した登録者側端末Ｂ等においては、該表示データが表示部に表示されることとなる。
【００６１】
また、登録者側端末Ｂや広告希望者側端末Ｃにおいて表示された各画面において、クリック等による選択入力又は書込み入力により入力されたデータは、サーバ側端末Ａに送られ、通信部１０を介してＣＰＵ３０に送られ、プログラム格納部２２に格納された、入力データを検出するための所定のプログラムである入力検知プログラムに従い、入力データの内容が検出されることとなる。なお、本出願において、「入力」の語は、特に断らない限り、選択入力、書込み入力等の全ての入力の概念を含むものとする。検出された入力データは、一時的にＣＰＵ３０で保持され、データ格納部２４に格納されることになる。また、登録者側端末Ｂや広告希望者側端末Ｃにおいて、画面に複数のクリックボタン等の選択ボタンが表示され、いずれかの選択ボタンを選択可能となっている場合には、マウス等の入力手段により選択を行なう。また、以下に説明する各画面において、登録者側端末Ｂや広告希望者側端末Ｃからの必要な入力がない場合には、その入力を促す内容の指示を端末に表示するのが好ましい。
【００６２】
まず、登録者側端末Ｂからサーバ側端末Ａにアクセスする場合について、図４に示すフローチャートと、図５〜図８に示す各図面を使用して説明する。
【００６３】
登録者側端末Ｂのユーザ（つまり、広告を付した物品である広告掲載物の取得を希望する物品取得希望者）が登録者側端末Ｂを用いてインターネットを介してサーバ側端末Ａにアクセスしたとする。例えば、登録者側端末Ｂのユーザが契約しているプロバイダの端末（つまり、ネットワークサーバ）宛に発呼すると同時に、サーバ側端末ＡのＵＲＬ（特に、広告が付された物品の取得の申込みを行なうために設定されたＵＲＬ）を指定してサーバ側端末Ａにアクセスしたとする。すると、登録者側端末Ｂとサーバ側端末Ａとはインターネットを介して接続され、図５に示すような初期画面Ｔ１が登録者側端末Ｂに表示される（Ｓ１０）。
【００６４】
この初期画面Ｔ１には、選択可能なグッズの種別を表示するアイコンが複数表示されていて、各アイコンが選択ボタンとなっている。つまり、「Ｔ−シャツ」、「ジャンパー」、「ユニホーム（野球）」、「帽子」等の各グッズの種類が表示される。これらの各広告掲載物における物品の種類に当たる。
【００６５】
登録者側端末Ｂのユーザは、この初期画面Ｔ１において、いずれかのグッズの種類を選択する。これにより、広告掲載物についての物品の種類の情報を入力する。
【００６６】
この初期画面Ｔ１が表示されている状態で、いずれかのグッズの種類が選択されたか否かが判定されて（Ｓ１１）、選択が行われた場合には、詳細指定画面が登録者側端末Ｂに表示される（Ｓ１２）。この詳細指定画面については、グッズの種類に応じて詳細指定画面が記憶されているので、選択されたグッズに対応する詳細指定画面が表示される。図６に示す詳細指定画面Ｔ２は、初期画面Ｔ１において「Ｔ−シャツ」を選択した場合に対応するものである。
【００６７】
なお、詳細指定画面を表示するに際して、以下のように動作させてもよい。つまり、初期画面Ｔ１において、他のクリックボタン（例えば、「画面分割」ボタンとする）を設け、「画面分割」ボタンをクリックすることにより、フレーム分けがなされ、画面左側の所定幅の第１領域と、画面中央から右側にかけての第２領域とに分割して表示がなされ、この第１領域に初期画面Ｔ１に表示されていた複数のアイコンが表示されるものとする。そして、複数のアイコンにおけるいずれかのアイコンが選択された場合には、そのアイコンに対応する詳細指定画面（例えば、Ｔ−シャツを選択した場合には、詳細指定画面Ｔ２）を第２領域に表示するようにするのである。
【００６８】
この詳細指定画面Ｔ２は、グッズ表示部１００と、色選択部１０２と、詳細表示部１０４と、素材表示部１０６と、色表示部１０８と、サイズ表示部１１０と、希望枚数入力部１１２と、決定ボタン１１４とを有している。
【００６９】
ここで、グッズ表示部１００は、グッズのイメージを表示する領域であり、このグッズ表示部１００により、グッズの形状等を知ることができる。また、色選択部１０２は、色を選択するための操作領域であり、色を表示するとともに、操作ボタンとなっているアイコン１０２ａが各色に応じて設けられている。つまり、各アイコンは対応する色で表示されている。例えば、「Ｗｈｉｔｅ」のアイコン１０２ａにおいては、白色で表示され、また、「Ｂｌａｃｋ」のアイコン１０２ａにおいては、黒色に表示されている。そして、各アイコンは、操作ボタンともなっていて、希望の色のアイコンを選択することにより、グッズ表示部１００におけるグッズの色がその色に表示され、さらには、色表示部１０８にその色が表示されるようになっている。つまり、ユーザが色選択部１０２において所定の色を選択すると、サーバ側端末Ａ側ではこれを検知して、グッズをその色にするとともに、色表示部１０８をその色にした状態の詳細指定画面を表示するのである。
【００７０】
また、詳細表示部１０４は、グッズについての詳細な情報を表示する領域である。また、素材表示部１０６は、グッズに使用された素材についての情報を表示する領域である。また、色表示部１０８は、選択した色を表示するための領域であり、帯状の領域が色選択部１０２において選択された色で彩色された状態で表示される。この色表示部１０８を見ることにより採用される色を知ることができる。なお、当初において詳細指定画面が表示された時点では、グッズ表示部１００におけるグッズの色や色表示部１０８における色は、所定の色で表示されるものとする。例えば、最初に詳細指定画面Ｔ２が表示された時点では、グッズ表示部１００におけるグッズの色と色表示部１０８の色は、白色で表示される。最初に詳細指定画面Ｔ２が表示された時点でも色を選択する場合には、色選択部１０２で新たに選択する必要はない。
【００７１】
また、サイズ表示部１１０は、選択可能なサイズと各サイズの詳細を表示する領域である。また、希望枚数入力部１１２は、選択可能なサイズについて希望する枚数を入力できる領域となっている。つまり、希望枚数を入力するための入力欄が設けられている。
【００７２】
なお、図６に示す詳細指定画面はＴ−シャツについてのものであるが、他のグッズについての詳細指定画面にも、グッズ表示部１００と、色選択部１０２と、詳細表示部１０４と、素材表示部１０６と、色表示部１０８と、サイズ表示部１１０と、希望枚数入力部１１２と、決定ボタン１１４とが設けられており、色の選択や、希望枚数の入力ができるようになっている。なお、詳細指定画面において、選択が可能な色やサイズは、上記「物品についての属性」に当たり、また、選択可能な各色や、Ｍ、Ｌ等のサイズは、属性について定められた選択肢に当たる。
【００７３】
そして、少なくとも希望枚数の入力を行った後に、決定ボタン１１４をクリックする。
【００７４】
サーバ側端末Ａでは、詳細指定画面Ｔ２が表示されている状態で所定の入力があったか否かが判定されて（Ｓ１３）、所定の入力があったと判定された場合には、ステップＳ１４に移行する。なお、この所定の入力とは、少なくとも希望枚数についての入力があり、かつ、決定ボタン１１４をクリックした場合をいう。
【００７５】
ステップＳ１４においては、登録者側端末Ｂに対して、ユーザ情報入力画面Ｔ３を表示する。
【００７６】
このユーザ情報入力画面Ｔ３は、図７、図８に示すように、ＩＤ等入力部１５０と、新規登録入力部１６０とが設けられている。なお、このユーザ情報入力画面Ｔ３は、ＩＤ等入力部１５０の次に新規登録入力部１６０がつながっており、全体で１つの画面となっている。つまり、図７に示す画像と図８に示す画像とは、全体で１つの画像となっている。
【００７７】
このＩＤ等入力部１５０は、ＩＤとパスワードを入力する入力欄１５２が設けられていて、また、申込みボタン１５４が設けられている。このＩＤ等入力部１５０は、すでにこのサーバ側端末Ａに登録したユーザであって、ＩＤやパスワードが登録されている場合に使用するものである。つまり、登録者側端末Ｂのユーザは、すでにＩＤとパスワードを取得している場合には、このＩＤ等入力部１５０に入力した後、申込みボタン１５４をクリックすればよい。
【００７８】
一方、ＩＤやパスワードを取得していないユーザは、新規登録入力部１６０に入力する。
【００７９】
ここで、新規登録入力部１６０は、団体情報入力欄１６２と、代表者情報入力欄１６４が設けられている。
【００８０】
この団体情報入力欄１６２は、団体名入力欄１６２ａと、団体活動場所−県入力欄１６２ｂと、団体活動場所−詳細入力欄１６２ｃと、活動種別入力欄１６２ｄと、具体的活動内容入力欄１６２ｅと、団体構成入力欄１６２ｆと、平均年齢入力欄１６２ｇと、広告掲載拒否業種入力欄１６２ｈと、活動ペース入力欄１６２ｉと、スポンサーへのＰＲ入力欄１６２ｊとを有している。ここで、団体名入力欄１６２ａと団体活動場所−詳細入力欄１６２ｃと具体的活動内容入力欄１６２ｅとスポンサーへのＰＲ入力欄１６２ｊは、ユーザがキーボード等により具体的に入力できるようになっている。なお、団体名入力欄１６２ａには、スポンサーを求めている団体の名称を入力する。団体活動場所−詳細入力欄１６２ｃには、具体的な活動場所を入力する。具体的活動内容入力欄１６２ｅには、その団体の具体的な活動内容を入力する。スポンサーへのＰＲ入力欄１６２ｊには、スポンサーにＰＲしたい内容を入力する。具体的活動内容入力欄１６２ｅやスポンサーへのＰＲ入力欄には、具体的な入力例を示しておくことが好ましい。
【００８１】
また、団体活動場所−県入力欄１６２ｂは、「東京」、「大阪」等の都道府県や「全国」等の活動場所の領域を示す選択肢から選択できるようになっている。ユーザは活動場所を選択して入力する。また、活動種別入力欄１６２ｄについては、「スポーツ団体」、「文化サークル」、「町内会」、「学校」、「企業」等団体の種類を示す選択肢の中から選択できるようになっている。ユーザは、団体の種類を選択肢の中から選択して入力する。また、団体構成入力欄１６２ｆは、男性の構成人数と女性の構成人数とを入力できるようになっている。ユーザは、団体の構成人数を男性と女性とに分けて入力する。また、平均年齢入力欄１６２ｇは、年齢又は年齢の幅を示す選択肢から選択できるようになっている。ユーザは、団体の構成員の平均年齢を選択肢から選択して入力する。また、広告掲載拒否業種入力欄１６２ｈは、広告拒否業種としての業種名を示す選択肢から選択できるようになっている。ユーザは、スポンサーとなるのを希望しない業種をこの入力欄により入力することができる。また、活動ペース入力欄１６２ｉは、「週１回」、「月１回」等活動ペースを示す選択肢から選択できるようになっている。ユーザは、団体の活動ペースを選択肢から選択して入力する。
【００８２】
次に、代表者情報入力欄１６４は、団体の代表者の情報を入力するためのもので、氏名入力欄１６４ａと、年齢入力欄１６４ｂと、性別入力欄１６４ｃと、郵便番号入力欄１６４ｄと、電話番号入力欄１６４ｅと、県名入力欄１６４ｆと、市町村番地入力欄１６４ｇと、マンション名等入力欄１６４ｈと、メールアドレス入力欄１６４ｉとを有している。性別入力欄１６４ｃについては、男性と女性のいずれかを選択し、また、県名入力欄１６４ｆについては、都道府県におけるいずれかを選択できるようになっている。ユーザは、団体の代表者の情報を入力していく。
【００８３】
このユーザ情報入力画面Ｔ３に入力する情報（特に、その中でも申込み管理テーブルＫに記憶される情報）が上記物品取得希望者情報に当たる。また、該初期画面Ｔ１、詳細指定画面Ｔ２、ユーザ情報入力画面Ｔ３の各データを登録者側端末Ｂに送信する際には、ＣＰＵ３０、通信部１０がプログラム格納部２２に格納されたプログラムに従い動作するが、その際のＣＰＵ３０や通信部１０やプログラム格納部２２に格納されているプログラムが、上記第１入力画面データ送信手段に当たる。また、ステップＳ１０、Ｓ１２、Ｓ１４が上記第１入力画面データ送信工程に当たる。
【００８４】
ユーザは、新規登録入力部１６０への入力を行ったら、申込みボタン１６６をクリックする。
【００８５】
サーバ側端末Ａでは、このユーザ情報入力画面Ｔ３が表示されている状態で、所定の入力があったか否かが判定されて（Ｓ１５）、所定の入力があったと判定された場合には、ステップＳ１６に移行する。なお、ここで、所定の入力があった場合とは、ＩＤ等入力部１５０において、ＩＤとパスワードの入力があり、かつ、申込みボタン１５４がクリックされた場合と、新規登録入力部１６０において入力を行い、申込みボタン１６６がクリックされた場合のいずれかがあった場合である。なお、新規登録入力部１６０への入力については、すべての事項を必須とするのではなく、いくつかの所定の事項のみを必須事項としてもよい。
【００８６】
ステップＳ１６においては、申込み管理テーブルＫへの登録が行われ、また、新規登録の場合には、登録者情報テーブルＪへの登録も行われる。
【００８７】
つまり、新規登録入力部１６０への入力があった場合には、登録者情報テーブルＪに情報を登録する。つまり、登録者情報テーブルＪにおける団体情報については、団体情報入力欄１６２に入力された情報に従い登録を行い、また、代表者情報については、代表者情報入力欄１６４に入力された情報に従い登録を行う。また、ＩＤとパスワードについては、以下のようにして登録する。つまり、新規登録入力部１６０への入力があり、申込みボタン１６６がクリックされた場合には、所定のプログラムに従いＩＤを決定し、該ＩＤの情報を登録者情報テーブルＪに登録する。また、ＩＤの情報を表示するとともに、パスワードを入力するための画面を登録者側端末Ｂに表示させる。そして、ユーザによりパスワードの入力があったら、このパスワードの情報を取得して、このパスワードの情報を登録者情報テーブルＪに登録する。なお、パスワードについても、サーバ側端末Ａにおいて決定してもよいし、一方、ＩＤについては、ユーザ側で決定するようにしてもよい。
【００８８】
また、申込み管理テーブルＫへの登録は、以下のように行われる。つまり、申込み管理テーブルＫにおける団体情報については、予め登録者情報テーブルＪに登録されている情報やユーザ情報入力画面Ｔ３における新規登録入力部１６０に入力された情報に従い、登録する。つまり、新規登録の場合には、新規登録入力部１６０に入力された情報のうち、団体情報入力欄１６２に入力された団体名の情報、団体活動場所−県の情報、団体種別の情報、団体構成の情報と、代表者情報入力欄１６４に入力された氏名の情報と決定されたＩＤの情報を登録する。なお、一旦登録者情報テーブルＪに登録された内容から読み出して、この申込み管理テーブルＫに登録するようにしてもよい。このようにして、ユーザ情報入力画面Ｔ３に入力された情報の一部の情報が登録される。一方、ユーザ情報入力画面Ｔ３において、ＩＤとパスワードが入力された場合には、このＩＤとパスワードに対応する登録者の情報を登録者情報テーブルＪから検出し、登録者情報テーブルＪから必要な情報を読み出して、申込み管理テーブルＫに登録する。つまり、ユーザ情報入力画面Ｔ３に入力されたデータに対応するデータを登録する。すなわち、この場合には、上記第１入力画面に入力されたデータのうち一部が入力されたデータに対応したデータが登録されるので、申込み管理テーブルＫに登録されるデータ（つまり、団体情報とグッズ情報の総計）としては、第１入力画面に入力されたデータに対応するデータが登録されるといえる。なお、申込み管理テーブルＫにおける団体情報については、図３に示す情報を登録するものとして説明したが、これには限られず、団体を特定できる情報であればよい。
【００８９】
また、申込み管理テーブルＫにおけるグッズ情報については、グッズ種類と色と個数の情報が登録される。ここで、グッズ種類については、初期画面Ｔ１において選択されたグッズの種類に応じて登録される。例えば、Ｔ−シャツを選択した場合には、Ｔ−シャツの情報が登録される。また、色については、詳細指定画面Ｔ２において選択された色についての情報が登録される。また、個数については、希望枚数入力部１１２に入力された情報に従い登録される。
【００９０】
なお、申込み管理テーブルＫへ登録を行う際には、ＣＰＵ３０、通信部１０がプログラム格納部２２に格納されたプログラム（特に、上記入力検知プログラムや管理プログラム）に従い動作するが、その際のＣＰＵ３０や通信部１０やプログラム格納部２２に格納されているプログラムが、上記第１登録手段に当たる。また、ステップＳ１６が上記第１登録工程に当たる。
【００９１】
以上のように、広告が付された物品の取得の申込みをしようとするユーザが、サーバ側端末Ａにアクセスして上記のような操作を行うことにより、登録者情報テーブルＪや申込み管理テーブルＫに登録が行われる。つまり、登録が行われるごとに、新たな登録案件について申込み管理テーブルＫへの登録情報が追加されていき、また、新規登録されるごとに登録者情報テーブルＪへの登録情報が追加されていく。
【００９２】
次に、広告希望者側端末Ｃからサーバ側端末Ａにアクセスする場合について、図９、図１０等の図面を使用して説明する。
【００９３】
広告希望者側端末Ｃのユーザ（つまり、広告掲載物の提供を希望する広告希望者）が広告希望者側端末Ｃを用いてインターネットを介してサーバ側端末Ａにアクセスしたとする。例えば、広告希望者側端末Ｃのユーザが契約しているプロバイダの端末（つまり、ネットワークサーバ）宛に発呼すると同時に、サーバ側端末ＡのＵＲＬ（特に、スポンサーとなる、つまり、広告申込みを行うために設定されたＵＲＬ）を指定してサーバ側端末Ａにアクセスしたとする。すると、広告希望者側端末Ｃとサーバ側端末Ａとはインターネットを介して接続され、図１０に示すような初期画面Ｔ１０が広告希望者側端末Ｃに表示される（Ｓ２０）。この初期画面Ｔ１０は、登録者について検索を行うための検索条件を入力するための画面となっている。すなわち、初期画面Ｔ１０は、団体名、団体活動場所、活動種別、人数、平均年齢、グッズ種類、必要個数について条件を設定できるようになっている。なお、団体名については、具体的に入力するようになっていて、団体名が予め分かっている場合等に使用する。また、団体活動場所については、「東京」、「大阪」等の都道府県や「全国」のいずれかを選択できるようになっている。活動種別については、「スポーツ団体」、「文化サークル」、「町内会」等団体の種類を示す選択肢の中から選択できるようになっている。また、人数については、所定の人数ごとに区分された選択肢から選択できるようになっている。また、平均年齢についても、所定の年齢ごとに区分された選択肢から選択できるようになっている。また、グッズ種類については、登録されているグッズの種類から選択できるようになっている。また、必要個数も所定の個数ごとに区分された選択肢から選択できるようになっている。
【００９４】
なお、団体活動場所、活動種別、人数、平均年齢、グッズ種類、必要個数については、「任意」という選択肢も設けられていて、ある検索種別について限定したくない場合には、この選択肢を選択すればよい。なお、最初に初期画面Ｔ１０が表示された状態では、団体活動場所、活動種別、人数、平均年齢、グッズ種類、必要個数については、この「任意」を表示しておくことが好ましい。
【００９５】
ユーザは、この初期画面Ｔ１０において、検索条件を入力し、入力が完了したら「検索」ボタンをクリックする。
【００９６】
サーバ側端末Ａにおいては、この初期画面Ｔ１０が表示されている状態で、所定の入力があったか否かが判定され（Ｓ２１）、該所定の入力があった場合には、ステップＳ２２に移行する。なお、この所定の入力とは、「検索」ボタンがクリックされたことを示す。
【００９７】
ステップＳ２２では、登録状況一覧画面Ｔ１１が表示される。つまり、初期画面Ｔ１０で設定された検索条件に従って検索を行った結果が表示される。この登録状況一覧画面Ｔ１１には、団体名、団体種別、主な活動場所、グッズ種類、必要個数、人数の各情報が登録案件ごとに表示される。ここで、登録状況一覧画面Ｔ１１における団体名、団体種別、主な活動場所、グッズ種類、必要個数、人数の各情報は、申込み管理テーブルＫに登録された内容に基づいて表示される。つまり、登録状況一覧画面Ｔ１１における団体名は、申込み管理テーブルＫの団体情報における団体名の情報であり、また、団体種別は、該団体情報における団体種別の情報であり、また、主な活動場所は、該団体情報における団体活動場所−県の情報でありまた、グッズ種類は、申込み管理テーブルＫのグッズ情報におけるグッズ種類の情報であり、必要個数は、該グッズ情報における個数（枚数）における個数を合計したものである。また、人数は、該団体情報における団体構成における人数を合計したものである。
【００９８】
この図１１に示す例は、初期画面Ｔ１０において、団体活動場所を「愛知」とし、活動種別を「スポーツ団体」として検索した場合の例を示している。
【００９９】
また、各登録案件については、「詳細」ボタンが設けられていて、この「詳細ボタン」をクリックすることにより、より詳細な情報が表示されるようになっている。この詳細な情報は、その登録案件について申込み管理テーブルＫに登録されている情報や、その登録案件についての登録者について登録者情報テーブルＪに登録されている情報から予め設定された情報が表示される。
【０１００】
また、この登録状況一覧画面Ｔ１１においては、左端に「チェック」欄が設けられていて、広告申込みを希望する登録案件についてクリックして選択することにより、チェックマークが入るようになっている。
【０１０１】
また、この登録状況一覧画面Ｔ１１においては、見積り額の表示を行うことができる。つまり、見積りを希望する登録案件について左端の「チェック」欄をクリックした後に、「見積」ボタンをクリックすることにより、見積りプログラムが動作して、選択した登録案件について掛かる費用の見積り額が計算される。そして、選択した登録案件についての見積り額の合計額が表示される。
【０１０２】
サーバ側端末Ａにおいては、この登録状況一覧画面Ｔ１１が表示されている状態において、所定の入力があったか否かが判定され（Ｓ２３）、所定の入力があった場合には、ステップＳ２４に移行する。ここで、所定の入力とは、登録案件の少なくともいずれかについて「チェック」欄をクリックする操作を示す。
【０１０３】
そして、ステップＳ２４においては、見積り操作、つまり、「見積」ボタンをクリックする操作があったか否かが判定され、該操作があった場合には、ステップＳ２５に移行して、見積り額を計算、表示する。このステップＳ２４、Ｓ２５が上記見積り工程に当たる。
【０１０４】
一方、登録案件の少なくともいずれかについて「チェック」欄が選択された状態で所定の入力があったか否かが判定され（Ｓ２６）、該所定の入力があった場合には、ステップＳ２７に移行する。ここで、所定の入力とは、「申込み」ボタンが押されたことを示す。
【０１０５】
ステップＳ２７においては、広告希望者情報入力画面（図示せず）が表示される。この広告希望者入力画面においては、広告希望者についての情報が入力できるようになっていて、例えば、申込者の名称（又は氏名）や、代表者名や、住所や、電話番号や、メールアドレスが入力できるようになっている。
【０１０６】
なお、広告希望者情報入力画面に入力する情報が上記広告希望者情報に当たる。また、該初期画面Ｔ１０、登録状況一覧画面Ｔ１１、広告希望者情報入力画面の各データを広告希望者側端末Ｃに送信する際には、ＣＰＵ３０、通信部１０がプログラム格納部２２に格納されたプログラムに従い動作するが、その際のＣＰＵ３０や通信部１０やプログラム格納部２２に格納されているプログラムが、上記第２入力画面データ送信手段に当たる。また、ステップＳ２０、Ｓ２２、Ｓ２７が上記第２入力画面データ送信工程に当たる。
【０１０７】
そして、サーバ側端末Ａでは、この広告希望者情報入力画面が表示された状態で所定の入力があったか否かが判定され（Ｓ２８）、該所定の入力があった場合には、申込み管理テーブルＫに入力された情報を登録する（Ｓ２９）。ここで、所定の入力とは、広告希望者情報入力画面に入力可能な情報で予め定められた情報である。
【０１０８】
ステップＳ２９においては、広告希望者情報入力画面に入力された情報が申込み管理テーブルＫにおける広告希望者情報に登録される。なお、登録状況一覧画面Ｔ１１において複数の登録案件を選択してある場合には、各登録案件ごとに登録されることになる。また、ある登録案件についてすでに広告希望者情報が登録されている場合には、さらに追加して登録されることになる。
【０１０９】
なお、申込み管理テーブルＫへ登録を行う際には、ＣＰＵ３０、通信部１０がプログラム格納部２２に格納されたプログラム（特に、上記入力検知プログラムや管理プログラム）に従い動作するが、その際のＣＰＵ３０や通信部１０やプログラム格納部２２に格納されているプログラムが、上記第２登録手段に当たる。また、ステップＳ２９が上記第２登録工程に当たる。
【０１１０】
そして、サーバ側端末Ａに表示部（表示手段）を設ける等して、サーバ側端末Ａの管理者において、広告希望者からの申込みがあった場合に、申込みがあったことが分かるようにしておく。例えば、申込み管理テーブルＫの内容が表示できるようにしておくことが考えられる。この表示部に表示する工程が上記表示工程に当たる。
【０１１１】
以上のように、登録案件に対して広告希望者から申込みがあった場合には、サーバ側端末Ａの管理者が登録者（つまり、広告が付された物品の取得を希望する団体等）に対して連絡を取り、広告希望者がいることを通知する。その後は、サーバ側端末Ａの管理者側において、広告希望者の広告の入ったグッズを作成して、登録者に渡す。そして、登録者が該グッズを使用することにより、広告希望者についての広告が行われることになる。例えば、登録者がＴ−シャツを希望していた場合には、広告希望者の広告の入ったＴ−シャツを作成し、登録者に渡されることになる。そして、このＴ−シャツを団体の活動に使用することにより（例えば、ジョギングクラブの場合には、練習等にこのＴ−シャツを着て練習することにより）、広告希望者の広告宣伝を行うことができる。なお、グッズにおいて、広告の入る位置は予め定めておき、登録者が登録案件の登録を行う際や、広告希望者が申込みを行う際にグッズのどの場所に広告が入るのかを説明しておくようにするのが好ましい。
【０１１２】
以上のように、本実施例のサーバ側端末Ａ及びサーバ側端末Ａにより行われる広告仲介方法によれば、スポーツ団体、文化サークル、町内会、学校等において身近に使用するグッズに広告を載せることにより広告宣伝を行うことができるので、従来にない広告媒体、広告方法で広告を行うことができる。特に、広告の入ったグッズを取得した団体等がそのグッズを使い続ける限り広告を行うことができるので、宣伝効果が高い。また、広告主側が申し込むに当たって、広告主側のニーズに合った登録案件を選ぶことができるので、広告主側にとっても利用しやすいといえる。また、ユニホーム等のグッズを入手したい団体にとっても、多くの広告主から申込みを受けることが容易となるので、最も条件のよい（例えば、企業イメージのよい）広告主を選択することができる。
【０１１３】
特に、サーバ側端末Ａにアクセスして登録しておけばよいので、従来のように広告代理店が介在することがなく、広告主にとって広告費を安価に押さえることが可能となる。
【０１１４】
特に、ユニホーム等のグッズを入手したい団体（つまり、広告掲載先の団体）と、広告を出したい広告主側とのニーズを容易に調整できるので、双方ともにメリットがある。
【０１１５】
なお、上記の説明において、グッズの種類としては、「Ｔ−シャツ」、「ジャンパー」、「ユニホーム（野球）」、「帽子」等を例に挙げたが、これには限られず、野球以外のユニホームその他の被服や、その他の身に付けるものでもよい。また、身につけるものでなくても、ボールペン等の筆記具、灰皿等身近に使用するものであればよい。
【０１１６】
また、上記の説明では、申込み管理テーブルＫにおける広告希望者情報について、上記広告希望者情報入力画面に入力された情報を全て登録しておくものとしたが、別に広告希望者の情報を管理するためのテーブルを設けて、広告希望者の情報はそちらに登録しておき、申込み管理テーブルＫにおける広告希望者情報については、広告希望者を特定できるだけの情報を登録するようにしてもよい。例えば、登録者側端末Ｂからの登録の場合と同様に、ＩＤとパスワードを付与するようにして、申込み管理テーブルＫにおける広告希望者情報には、名称（氏名）とＩＤのみ登録するようにしてもよい。つまり、この場合には、広告希望者情報入力画面に入力された情報の一部が申込み管理テーブルＫに登録されることになる。そして、ＩＤとパスワードを付与された広告希望者は、以後の申込みにおいては、広告希望者情報入力画面にＩＤとパスワードを入力すればよい。そして、申込み管理テーブルＫには、このＩＤとパスワードに対応した名称（氏名）を上記テーブルから検出して、登録するようにする。つまり、この場合、名称（氏名）については、広告希望者情報入力画面に入力されたデータに対応するデータが登録される。すなわち、例えばこの場合には、上記第２入力画面に入力されたデータに対応するデータが登録されるといえる。一方、上記登録者情報テーブルＪの登録内容についても申込み管理テーブルＫに登録する（この場合には、申込みごとに、団体情報、代表者情報、ＩＤ等情報が登録されることになる）ようにして、上記第１入力画面に入力されたデータや上記第２入力画面に入力されたデータを全てこの申込み管理テーブルＫに登録するようにしてもよい。
【０１１７】
また、申込み管理テーブルＫにおける団体情報については、図３に示す情報が登録されるものとして説明したが、団体を特定できるだけの情報（例えば、団体名とＩＤ）のみをこの申込み管理テーブルＫに登録しておき、登録状況一覧画面Ｔ１１に情報を表示する際には、申込み管理テーブルＫに登録された情報と登録者情報テーブルＪに登録された情報から情報を読み出して表示するようにしてもよい。
【０１１８】
また、上記において、広告希望者側端末Ｃから申込みがあり、申込み管理テーブルＫに登録がされた場合に、その申込みに対応する広告掲載物の取得の申込みを行った登録者側端末Ｂに対して、自動的にメールを送信し、広告希望者から申込みがあった旨を伝えるようにしてもよい。つまり、第２登録手段により登録が行われた場合に、広告希望者側端末から申込みがあった旨の電子メールを送信する電子メール送信手段を設けてもよい。
【０１１９】
【発明の効果】
本発明に基づくサーバコンピュータ及び広告仲介方法によれば、サーバコンピュータの管理者等が、広告希望者から申込みがあった旨を物品取得希望者に伝える等することにより、物品取得希望者と広告希望者との間の仲介を行うことができる。特に、広告掲載物についての物品を、スポーツ団体、文化サークル、町内会、学校等において身近に使用するグッズ（例えば、衣服）とすることにより、従来にない広告媒体、広告方法で広告を行うことができる。特に、広告掲載物を使い続ける限り広告を行うことができるので、宣伝効果が高い。また、広告希望者が申し込むに当たって、広告希望者側のニーズに合った登録案件を選ぶことができるので、広告希望者にとっても利用しやすいといえる。また、特に、サーバコンピュータにアクセスして登録しておけばよいので、従来のように広告代理店が介在することがなく、広告希望者にとっても広告費を安価に押さえることが可能となる。さらに、特に、グッズを入手したい物品取得希望者と、広告を出したい広告希望者とのニーズを容易に調整できるので、双方ともにメリットがある。
【図面の簡単な説明】
【図１】本発明の実施例に基づくサーバー側端末と、これを含む広告仲介システムの構成を示すブロック図である。
【図２】登録者情報テーブルの内容を説明するための説明図である。
【図３】申込み管理テーブルの内容を説明するための説明図である。
【図４】サーバー側端末の動作を説明するフローチャートであり、登録者側端末からアクセスした場合の動作を説明するフローチャートである。
【図５】初期画面Ｔ１を説明するための説明図である。
【図６】詳細指定画面Ｔ２を説明するための説明図である。
【図７】ユーザ情報入力画面Ｔ３を説明するための説明図である。
【図８】ユーザ情報入力画面Ｔ３を説明するための説明図である。
【図９】サーバー側端末の動作を説明するフローチャートであり、広告希望者側端末からアクセスした場合の動作を説明するフローチャートである。
【図１０】初期画面Ｔ１０を説明するための説明図である。
【図１１】登録状況一覧画面Ｔ１１を説明するための説明図である。
【符号の説明】
Ａ　サーバ側端末
Ｂ　登録者側端末
Ｃ　広告希望者側端末
１０　通信部
２０　記憶部
２２　プログラム格納部
２４　データ格納部
３０　ＣＰＵ
Ｔ１、Ｔ１０　初期画面
Ｔ２　詳細指定画面
Ｔ３　ユーザ情報入力画面
Ｔ１１　登録状況一覧画面
Ｋ　申込み管理テーブル
【図１】
2004118358.tif 000003
【図２】
2004118358.tif 000004
【図３】
2004118358.tif 000005
【図４】
2004118358.tif 000006
【図５】
2004118358.tif 000007
【図６】
2004118358.tif 000008
【図７】
2004118358.tif 000009
【図８】
2004118358.tif 000010
【図９】
2004118358.tif 000011
【図１０】
2004118358.tif 000012
【図１１】
2004118358.tif 000013
【手続補正書】
【提出日】平成14年9月25日(2002.9.25)
【手続補正１】
【補正対象書類名】明細書
【補正対象項目名】特許請求の範囲
【補正方法】変更
【補正の内容】
【特許請求の範囲】
【請求項１】
広告を付した物品である広告掲載物の取得を希望する物品取得希望者と、広告掲載物の提供を希望する広告希望者との間の仲介を行うサーバコンピュータであって、
１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータを記憶する第１入力画面データ記憶手段と、
該第１入力画面を物品取得希望者側の端末である物品取得希望者側端末に表示するために、該第１入力画面データ記憶手段に記憶されている第１入力画面データを該物品取得希望者側端末に送信する第１入力画面データ送信手段と、
物品取得希望者からの申込みに関する情報と広告希望者からの申込みに関する情報を記憶する管理データ記憶手段と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに該管理データ記憶手段に登録する第１登録手段と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータを記憶する第２入力画面データ記憶手段と、
該第２入力画面を広告希望者側の端末である広告希望者側端末に表示するために、該第２入力画面データ記憶手段に記憶されている第２入力画面データを該広告希望者側端末に送信する第２入力画面データ送信手段と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録手段と、を有することを特徴とするサーバコンピュータ。
【請求項２】
上記第１入力画面が、
広告掲載物についての物品の種類であって、複数の種類から所望の種類を選択する入力が可能な物品種類選択画面と、
該物品種類選択画面において選択された種類の物品について、該物品についての属性であって複数の選択肢が定められた属性の中から所望の選択肢を選択する入力が可能であるとともに、希望する個数についての情報を入力するための詳細指定画面と、
を有することを特徴とする請求項１に記載のサーバコンピュータ。
【請求項３】
上記管理データ記憶手段には、広告掲載物取得の申込みごとに、
上記物品取得希望者情報における少なくとも一部の情報と、
広告掲載物についての物品に関する情報である物品情報であって、物品の種類についての情報と、物品の属性における選択された選択肢についての情報と、希望する個数についての情報と、を有する物品情報と、
上記広告希望者情報における少なくとも一部の情報と、
が記憶されることを特徴とする請求項２に記載のサーバコンピュータ。
【請求項４】
上記物品取得希望者情報が、複数の構成員からなる団体の団体名についての情報である団体名情報と、団体の活動場所についての情報である活動場所情報と、団体の種類についての情報である団体種類情報と、を含むことを特徴とする請求項１又は２又は３に記載のサーバコンピュータ。
【請求項５】
広告を付した物品である広告掲載物の取得を希望する物品取得希望者と、広告掲載物の提供を希望する広告希望者との間の仲介を行うサーバコンピュータであって、
１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段と、
該第１入力画面を物品取得希望者側の端末である物品取得希望者側端末に表示するために、データ記憶手段に記憶されている第１入力画面データを該物品取得希望者側端末に送信する第１入力画面データ送信手段と、
物品取得希望者からの申込みに関する情報と広告希望者からの申込みに関する情報を記憶する管理データ記憶手段と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに該管理データ記憶手段に登録する第１登録手段と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータを記憶する第２入力画面データ記憶手段と、
該第２入力画面を広告希望者側の端末である広告希望者側端末に表示するために、該第２入力画面データ記憶手段に記憶されている第２入力画面データを該広告希望者側端末に送信する第２入力画面データ送信手段と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録手段と、を有し、
該管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されることを特徴とするサーバコンピュータ。
【請求項６】
上記属性が、物品の色及びサイズであることを特徴とする請求項２又は３又は４又は５に記載のサーバコンピュータ。
【請求項７】
上記広告掲載物についての物品が、スポーツ用の衣服その他の衣服であることを特徴とする請求項１又は２又は３又は４又は５又は６に記載のサーバコンピュータ。
【請求項８】
上記サーバコンピュータが、さらに、
上記第２入力画面が広告希望者側端末に表示されている状態で、広告希望者側端末において所定の操作が行われた場合に、広告掲載物の提供に掛かる費用の見積り額を算出する見積り手段を有することを特徴とする請求項１又は２又は３又は４又は５又は６又は７に記載のサーバコンピュータ。
【請求項９】
上記サーバコンピュータが、さらに、
管理データ記憶手段に記憶されているデータを表示する表示手段を有することを特徴とする請求項１又は２又は３又は４又は５又は６又は７又は８に記載のサーバコンピュータ。
【請求項１０】
サーバコンピュータにより、広告を付した物品である広告掲載物の取得を希望する物品取得希望者と、広告掲載物の提供を希望する広告希望者との間の仲介を行う広告仲介方法であって、
１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータである第１入力画面データを記憶する第１入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに、物品取得希望者からの申込みに関する情報と広告希望者からの申込みに関する情報とを記憶するための管理データ記憶手段に登録する第１登録工程と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末に表示するために、該広告希望者側端末に送信する第２入力画面データ送信工程と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録工程と、を有することを特徴とする広告仲介方法。
【請求項１１】
上記第１入力画面が、
広告掲載物についての物品の種類であって、複数の種類から所望の種類を選択する入力が可能な物品種類選択画面と、
該物品種類選択画面において選択された種類の物品について、該物品についての属性であって複数の選択肢が定められた属性の中から所望の選択肢を選択する入力が可能であるとともに、希望する個数についての情報を入力するための詳細指定画面と、
を有することを特徴とする請求項１０に記載の広告仲介方法。
【請求項１２】
上記管理データ記憶手段には、広告掲載物取得の申込みごとに、
上記物品取得希望者情報における少なくとも一部の情報と、
広告掲載物についての物品に関する情報である物品情報であって、物品の種類についての情報と、物品の属性における選択された選択肢についての情報と、希望する個数についての情報と、を有する物品情報と、
上記広告希望者情報における少なくとも一部の情報と、
が記憶されることを特徴とする請求項１１に記載の広告仲介方法。
【請求項１３】
上記物品取得希望者情報が、複数の構成員からなる団体の団体名についての情報である団体名情報と、団体の活動場所についての情報である活動場所情報と、団体の種類についての情報である団体種類情報と、を含むことを特徴とする請求項１０又は１１又は１２に記載の広告仲介方法。
【請求項１４】
サーバコンピュータにより、広告を付した物品である広告掲載物の取得を希望する物品取得希望者と、広告掲載物の提供を希望する広告希望者との間の仲介を行う広告仲介方法であって、
１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、広告希望者情報における少なくとも一部の情報と、を記憶するための管理データ記憶手段に登録する第１登録工程と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末に表示するために、該広告希望者側端末に送信する第２入力画面データ送信工程と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録工程と、を有することを特徴とする広告仲介方法。
【請求項１５】
上記属性が、物品の色及びサイズであることを特徴とする請求項１１又は１２又は１３又は１４に記載の広告仲介方法。
【請求項１６】
上記広告掲載物についての物品が、スポーツ用の衣服その他の衣服であることを特徴とする請求項１０又は１１又は１２又は１３又は１４又は１５に記載の広告仲介方法。
【請求項１７】
上記広告仲介方法が、さらに、
上記第２入力画面が広告希望者側端末に表示されている状態で、広告希望者側端末において所定の操作が行われた場合に、広告掲載物の提供に掛かる費用の見積り額を算出する見積り工程を有することを特徴とする請求項１０又は１１又は１２又は１３又は１４又は１５又は１６に記載の広告仲介方法。
【請求項１８】
上記広告仲介方法が、さらに、
管理データ記憶手段に記憶されているデータを表示する表示工程を有することを特徴とする請求項１０又は１１又は１２又は１３又は１４又は１５又は１６又は１７に記載の広告仲介方法。
【手続補正２】
【補正対象書類名】明細書
【補正対象項目名】００２１
【補正方法】変更
【補正の内容】
【００２１】
また、第６には、上記第２又は第３又は第４又は第５の構成において、上記属性が、物品の色及びサイズであることを特徴とする。これにより、広告掲載物の色やサイズ等を選択することが可能となる。


【手続補正３】
【補正対象書類名】明細書
【補正対象項目名】００３９
【補正方法】変更
【補正の内容】
【００３９】
また、第１５には、上記第１１又は第１２又は第１３又は第１４の構成において、上記属性が、物品の色及びサイズであることを特徴とする。これにより、広告掲載物の色やサイズ等を選択することが可能となる。




【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
広告を付した物品である広告掲載物の取得を希望する物品取得希望者と、広告掲載物の提供を希望する広告希望者との間の仲介を行うサーバコンピュータであって、
１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータを記憶する入力画面データ記憶手段と、
該第１入力画面を物品取得希望者側の端末である物品取得希望者側端末に表示するために、該入力画面データ記憶手段に記憶されている第１入力画面データを該物品取得希望者側端末に送信する第１入力画面データ送信手段と、
物品取得希望者からの申込みに関する情報と広告希望者からの申込みに関する情報を記憶する管理データ記憶手段と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに該管理データ記憶手段に登録する第１登録手段と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面を広告希望者側の端末である広告希望者側端末に表示するために、該第２入力画面のデータを該広告希望者側端末に送信する第２入力画面データ送信手段と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録手段と、
を有することを特徴とするサーバコンピュータ。
【請求項２】
上記第１入力画面が、
広告掲載物についての物品の種類であって、複数の種類から所望の種類を選択する入力が可能な物品種類選択画面と、
該物品種類選択画面において選択された種類の物品について、該物品についての属性であって複数の選択肢が定められた属性の中から所望の選択肢を選択する入力が可能であるとともに、希望する個数についての情報を入力するための詳細指定画面と、
を有することを特徴とする請求項１に記載のサーバコンピュータ。
【請求項３】
上記管理データ記憶手段には、広告掲載物取得の申込みごとに、
上記物品取得希望者情報における少なくとも一部の情報と、
広告掲載物についての物品に関する情報である物品情報であって、物品の種類についての情報と、物品の属性における選択された選択肢についての情報と、希望する個数についての情報と、を有する物品情報と、
上記広告希望者情報における少なくとも一部の情報と、
が記憶されることを特徴とする請求項２に記載のサーバコンピュータ。
【請求項４】
上記物品取得希望者情報が、複数の構成員からなる団体の団体名についての情報である団体名情報と、団体の活動場所についての情報である活動場所情報と、団体の種類についての情報である団体種類情報と、を含むことを特徴とする請求項１又は２又は３に記載のサーバコンピュータ。
【請求項５】
広告を付した物品である広告掲載物の取得を希望する物品取得希望者と、広告掲載物の提供を希望する広告希望者との間の仲介を行うサーバコンピュータであって、
１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する入力画面データ記憶手段と、
該第１入力画面を物品取得希望者側の端末である物品取得希望者側端末に表示するために、該入力画面データ記憶手段に記憶されている第１入力画面データを該物品取得希望者側端末に送信する第１入力画面データ送信手段と、
物品取得希望者からの申込みに関する情報と広告希望者からの申込みに関する情報を記憶する管理データ記憶手段と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに該管理データ記憶手段に登録する第１登録手段と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面を広告希望者側の端末である広告希望者側端末に表示するために、該第２入力画面のデータを該広告希望者側端末に送信する第２入力画面データ送信手段と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録手段と、
を有し、
該管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されることを特徴とするサーバコンピュータ。
【請求項６】
上記属性が、物品の色及びサイズであることを特徴とする請求項２又は３又は４又は５に記載のサーバコンピュータ。
【請求項７】
上記広告掲載物についての物品が、スポーツ用の衣服その他の衣服であることを特徴とする請求項１又は２又は３又は４又は５又は６に記載のサーバコンピュータ。
【請求項８】
上記サーバコンピュータが、さらに、
上記第２入力画面が広告希望者側端末に表示されている状態で、広告希望者側端末において所定の操作が行われた場合に、広告掲載物の提供に掛かる費用の見積り額を算出する見積り手段を有することを特徴とする請求項１又は２又は３又は４又は５又は６又は７に記載のサーバコンピュータ。
【請求項９】
上記サーバコンピュータが、さらに、
管理データ記憶手段に記憶されているデータを表示する表示手段を有することを特徴とする請求項１又は２又は３又は４又は５又は６又は７又は８に記載のサーバコンピュータ。
【請求項１０】
サーバコンピュータにより、広告を付した物品である広告掲載物の取得を希望する物品取得希望者と、広告掲載物の提供を希望する広告希望者との間の仲介を行う広告仲介方法であって、
１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータである第１入力画面データを記憶する入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに、物品取得希望者からの申込みに関する情報と広告希望者からの申込みに関する情報とを記憶するための管理データ記憶手段に登録する第１登録工程と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面を広告希望者側の端末である広告希望者側端末に表示するために、該第２入力画面のデータを該広告希望者側端末に送信する第２入力画面データ送信工程と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録工程と、
を有することを特徴とする広告仲介方法。
【請求項１１】
上記第１入力画面が、
広告掲載物についての物品の種類であって、複数の種類から所望の種類を選択する入力が可能な物品種類選択画面と、
該物品種類選択画面において選択された種類の物品について、該物品についての属性であって複数の選択肢が定められた属性の中から所望の選択肢を選択する入力が可能であるとともに、希望する個数についての情報を入力するための詳細指定画面と、
を有することを特徴とする請求項１０に記載の広告仲介方法。
【請求項１２】
上記管理データ記憶手段には、広告掲載物取得の申込みごとに、
上記物品取得希望者情報における少なくとも一部の情報と、
広告掲載物についての物品に関する情報である物品情報であって、物品の種類についての情報と、物品の属性における選択された選択肢についての情報と、希望する個数についての情報と、を有する物品情報と、
上記広告希望者情報における少なくとも一部の情報と、
が記憶されることを特徴とする請求項１１に記載の広告仲介方法。
【請求項１３】
上記物品取得希望者情報が、複数の構成員からなる団体の団体名についての情報である団体名情報と、団体の活動場所についての情報である活動場所情報と、団体の種類についての情報である団体種類情報と、を含むことを特徴とする請求項１０又は１１又は１２に記載の広告仲介方法。
【請求項１４】
サーバコンピュータにより、広告を付した物品である広告掲載物の取得を希望する物品取得希望者と、広告掲載物の提供を希望する広告希望者との間の仲介を行う広告仲介方法であって、
１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、
該物品取得希望者側端末より受信したデータであって、該第１入力画面に入力されたデータの少なくとも一部又は該第１入力画面に入力されたデータに対応するデータの少なくとも一部を、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、広告希望者情報における少なくとも一部の情報と、を記憶するための管理データ記憶手段に登録する第１登録工程と、
１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面を広告希望者側の端末である広告希望者側端末に表示するために、該第２入力画面のデータを該広告希望者側端末に送信する第２入力画面データ送信工程と、
該広告希望者側端末より受信したデータであって、該第２入力画面に入力されたデータの少なくとも一部又は該第２入力画面に入力されたデータに対応するデータの少なくとも一部を、上記管理データ記憶手段に登録する第２登録工程と、
を有することを特徴とする広告仲介方法。
【請求項１５】
上記属性が、物品の色及びサイズであることを特徴とする請求項１１又は１２又は１３又は１４に記載の広告仲介方法。
【請求項１６】
上記広告掲載物についての物品が、スポーツ用の衣服その他の衣服であることを特徴とする請求項１０又は１１又は１２又は１３又は１４又は１５に記載の広告仲介方法。
【請求項１７】
上記広告仲介方法が、さらに、
上記第２入力画面が広告希望者側端末に表示されている状態で、広告希望者側端末において所定の操作が行われた場合に、広告掲載物の提供に掛かる費用の見積り額を算出する見積り工程を有することを特徴とする請求項１０又は１１又は１２又は１３又は１４又は１５又は１６に記載の広告仲介方法。
【請求項１８】
上記広告仲介方法が、さらに、
管理データ記憶手段に記憶されているデータを表示する表示工程を有することを特徴とする請求項１０又は１１又は１２又は１３又は１４又は１５又は１６又は１７に記載の広告仲介方法。
【手続補正２】
【補正対象書類名】明細書
【補正対象項目名】０００７
【補正方法】変更
【補正の内容】
【０００７】
【課題を解決するための手段】
本発明は上記問題点を解決するために創作されたものであって、第１には、広告を付した物品である広告掲載物の取得を希望する物品取得希望者と、広告掲載物の提供を希望する広告希望者との間の仲介を行うサーバコンピュータであって、１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータを記憶する入力画面データ記憶手段と、該第１入力画面を物品取得希望者側の端末である物品取得希望者側端末に表示するために、該入力画面データ記憶手段に記憶されている第１入力画面データを該物品取得希望者側端末に送信する第１入力画面データ送信手段と、物品取得希望者からの申込みに関する情報と広告希望者からの申込みに関する情報を記憶する管理データ記憶手段と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに該管理データ記憶手段に登録する第１登録手段と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面を広告希望者側の端末である広告希望者側端末に表示するために、該第２入力画面のデータを該広告希望者側端末に送信する第２入力画面データ送信手段と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録手段と、を有することを特徴とする。


【手続補正３】
【補正対象書類名】明細書
【補正対象項目名】０００８
【補正方法】変更
【補正の内容】
【０００８】
この第１の構成のサーバコンピュータにおいては、該物品取得希望者側端末からの要求に対応する等して、第１入力画面データ送信手段が、該入力画面データ記憶手段に記憶されている第１入力画面データを該物品取得希望者側端末に送信する。すると、該物品取得希望者側端末においては、第１入力画面が表示される。そして、この物品取得希望者側端末において、広告掲載物についての物品の種類の情報を入力するとともに、物品取得希望者についての情報である物品取得希望者情報であって、該物品取得希望者情報を特定するための情報からなる物品取得希望者情報を入力すると、第１登録手段により、第１入力画面に入力されたデータ又はこれに対応するデータの少なくとも一部が、広告掲載物取得の申込みごとに該管理データ記憶手段に登録される。一方、該広告希望者側端末からの要求に対応する等して、第２入力画面データ送信手段が、第２入力画面のデータを該広告希望者側端末に送信する。すると、該広告希望者側端末においては、第２入力画面が表示される。そして、この広告希望者側端末において、表示された申込みの中から所望の申込みを選択する入力を行うとともに、広告希望者についての情報であって、広告希望者を特定するための情報である広告希望者情報を入力すると、第２登録手段により、該第２入力画面に入力されたデータ又はこれに対応するデータの少なくとも一部が上記管理データ記憶手段に登録される。


【手続補正４】
【補正対象書類名】明細書
【補正対象項目名】００１０
【補正方法】変更
【補正の内容】
【００１０】
なお、上記第１の構成における第１入力画面送信手段の内容を「該物品取得希望者側の端末である物品取得希望者側端末からの要求に対応して、該第１入力画面を該物品取得希望者側端末に表示するために、該第１入力画面データ記憶手段に記憶されている第１入力画面データを該物品取得希望者側端末に送信する第１入力画面データ送信手段」としてもよく、また、第２入力画面送信手段の内容を「該広告希望者側の端末である広告希望者側端末からの要求に対応して、該第２入力画面を該広告希望者側端末に表示するために、該第２入力画面データ記憶手段に記憶されている第２入力画面データを該広告希望者側端末に送信する第２入力画面データ送信手段」としてもよい。また、上記第１の構成を以下のようにしてもよい。すなわち、「広告を付した物品である広告掲載物の取得を希望する物品取得希望者と、広告掲載物の提供を希望する広告希望者との間の仲介を行うサーバコンピュータであって、１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータを記憶する第１入力画面データ記憶手段と、該第１入力画面を物品取得希望者側の端末である物品取得希望者側端末に表示するために、該第１入力画面データ記憶手段に記憶されている第１入力画面データを該物品取得希望者側端末に送信する第１入力画面データ送信手段と、物品取得希望者からの申込みに関する情報と広告希望者からの申込みに関する情報を記憶する管理データ記憶手段と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに該管理データ記憶手段に登録する第１登録手段と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータを記憶する第２入力画面データ記憶手段と、該第２入力画面を広告希望者側の端末である広告希望者側端末に表示するために、該第２入力画面データ記憶手段に記憶されている第２入力画面データを該広告希望者側端末に送信する第２入力画面データ送信手段と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録手段と、を有することを特徴とするサーバーコンピュータ。」としてもよい。
【手続補正５】
【補正対象書類名】明細書
【補正対象項目名】００１７
【補正方法】変更
【補正の内容】
【００１７】
また、第５には、広告を付した物品である広告掲載物の取得を希望する物品取得希望者と、広告掲載物の提供を希望する広告希望者との間の仲介を行うサーバコンピュータであって、１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する入力画面データ記憶手段と、該第１入力画面を物品取得希望者側の端末である物品取得希望者側端末に表示するために、該入力画面データ記憶手段に記憶されている第１入力画面データを該物品取得希望者側端末に送信する第１入力画面データ送信手段と、物品取得希望者からの申込みに関する情報と広告希望者からの申込みに関する情報を記憶する管理データ記憶手段と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに該管理データ記憶手段に登録する第１登録手段と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面を広告希望者側の端末である広告希望者側端末に表示するために、該第２入力画面のデータを該広告希望者側端末に送信する第２入力画面データ送信手段と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録手段と、を有し、該管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されることを特徴とする。


【手続補正６】
【補正対象書類名】明細書
【補正対象項目名】００１８
【補正方法】変更
【補正の内容】
【００１８】
この第５の構成のサーバコンピュータにおいては、該物品取得希望者側端末からの要求に対応する等して、第１入力画面データ送信手段が、該入力画面データ記憶手段に記憶されている第１入力画面データを該物品取得希望者側端末に送信する。すると、該物品取得希望者側端末においては、第１入力画面が表示される。そして、この物品取得希望者側端末において、広告掲載物についての物品の種類の情報を入力するとともに、物品取得希望者についての情報である物品取得希望者情報であって、該物品取得希望者情報を特定するための情報からなる物品取得希望者情報を入力すると、第１登録手段により、第１入力画面に入力されたデータ又はこれに対応するデータの少なくとも一部が、広告掲載物取得の申込みごとに該管理データ記憶手段に登録される。一方、該広告希望者側端末からの要求に対応する等して、第２入力画面データ送信手段が、第２入力画面のデータを該広告希望者側端末に送信する。すると、該広告希望者側端末においては、第２入力画面が表示される。そして、この広告希望者側端末において、表示された申込みの中から所望の申込みを選択する入力を行うとともに、広告希望者についての情報であって、広告希望者を特定するための情報である広告希望者情報を入力すると、第２登録手段により、該第２入力画面に入力されたデータ又はこれに対応するデータの少なくとも一部が、上記管理データ記憶手段に登録される。


【手続補正７】
【補正対象書類名】明細書
【補正対象項目名】００２０
【補正方法】変更
【補正の内容】
【００２０】
なお、上記第５の構成における第１入力画面送信手段の内容を「該物品取得希望者側の端末である物品取得希望者側端末からの要求に対応して、該第１入力画面を該物品取得希望者側端末に表示するために、該第１入力画面データ記憶手段に記憶されている第１入力画面データを該物品取得希望者側端末に送信する第１入力画面データ送信手段」としてもよく、また、第２入力画面送信手段の内容を「該広告希望者側の端末である広告希望者側端末からの要求に対応して、該第２入力画面を該広告希望者側端末に表示するために、該第２入力画面データ記憶手段に記憶されている第２入力画面データを該広告希望者側端末に送信する第２入力画面データ送信手段」としてもよい。また、上記第５の構成を以下のようにしてもよい。すなわち、「広告を付した物品である広告掲載物の取得を希望する物品取得希望者と、広告掲載物の提供を希望する広告希望者との間の仲介を行うサーバコンピュータであって、１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段と、該第１入力画面を物品取得希望者側の端末である物品取得希望者側端末に表示するために、データ記憶手段に記憶されている第１入力画面データを該物品取得希望者側端末に送信する第１入力画面データ送信手段と、物品取得希望者からの申込みに関する情報と広告希望者からの申込みに関する情報を記憶する管理データ記憶手段と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに該管理データ記憶手段に登録する第１登録手段と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータを記憶する第２入力画面データ記憶手段と、該第２入力画面を広告希望者側の端末である広告希望者側端末に表示するために、該第２入力画面データ記憶手段に記憶されている第２入力画面データを該広告希望者側端末に送信する第２入力画面データ送信手段と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録手段と、を有し、該管理データ記憶手段には、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、上記広告希望者情報における少なくとも一部の情報と、が記憶されることを特徴とするサーバーコンピュータ。」としてもよい。
【手続補正８】
【補正対象書類名】明細書
【補正対象項目名】００２５
【補正方法】変更
【補正の内容】
【００２５】
また、第１０には、サーバコンピュータにより、広告を付した物品である広告掲載物の取得を希望する物品取得希望者と、広告掲載物の提供を希望する広告希望者との間の仲介を行う広告仲介方法であって、１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータである第１入力画面データを記憶する入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、該物品取得希望者側端末より受信したデータであって、該第１入力画面に入力されたデータ又はこれに対応するデータ（「該第１入力画面に入力されたデータ」としてもよい）の少なくとも一部を（「該第１入力画面に入力されたデータを」としてもよい）、広告掲載物取得の申込みごとに、物品取得希望者からの申込みに関する情報と広告希望者からの申込みに関する情報とを記憶するための管理データ記憶手段に登録する第１登録工程と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面を広告希望者側の端末である広告希望者側端末に表示するために、該第２入力画面のデータを該広告希望者側端末に送信する第２入力画面データ送信工程と、該広告希望者側端末より受信したデータであって、該第２入力画面に入力されたデータ又はこれに対応するデータ（「該第２入力画面に入力されたデータ」としてもよい）の少なくとも一部を（「該第２入力画面に入力されたデータを」としてもよい）、上記管理データ記憶手段に登録する第２登録工程と、を有することを特徴とする。


【手続補正９】
【補正対象書類名】明細書
【補正対象項目名】００２６
【補正方法】変更
【補正の内容】
【００２６】
この第１０の構成の広告仲介方法においては、該物品取得希望者側端末からの要求に対応する等して、第１入力画面データ送信工程において、該入力画面データ記憶手段に記憶されている第１入力画面データが該物品取得希望者側端末に送信される。すると、該物品取得希望者側端末においては、第１入力画面が表示される。そして、この物品取得希望者側端末において、広告掲載物についての物品の種類の情報を入力するとともに、物品取得希望者についての情報である物品取得希望者情報であって、該物品取得希望者情報を特定するための情報からなる物品取得希望者情報を入力すると、第１登録工程において、第１入力画面に入力されたデータにおける少なくとも一部又は第１入力画面に入力されたデータに対応するデータの少なくとも一部が、広告掲載物取得の申込みごとに該管理データ記憶手段に登録される。一方、該広告希望者側端末からの要求に対応する等して、第２入力画面データ送信工程において、第２入力画面のデータが該広告希望者側端末に送信される。すると、該広告希望者側端末においては、第２入力画面が表示される。そして、この広告希望者側端末において、表示された申込みの中から所望の申込みを選択する入力を行うとともに、広告希望者についての情報であって、広告希望者を特定するための情報である広告希望者情報を入力すると、第２登録工程において、該第２入力画面に入力されたデータの少なくとも一部又は第２入力画面に入力されたデータに対応するデータの少なくとも一部が、が上記管理データ記憶手段に登録される。


【手続補正１０】
【補正対象書類名】明細書
【補正対象項目名】００２８
【補正方法】変更
【補正の内容】
【００２８】
なお、この第１０の構成における上記第１入力画面データ送信工程の内容を「１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者情報を特定するための情報からなる物品取得希望者情報を入力するための該第１入力画面のデータである第１入力画面データを記憶する第１入力画面データ記憶手段に記憶されている第１入力画面データを、該第１入力画面を物品取得希望者側の端末である物品取得希望者側端末からの要求に対応して、該物品取得希望者側端末に表示するために、該物品取得希望者側端末に送信する第１入力画面データ送信工程」としてもよく、また、上記第２入力画面データ送信工程の内容を「１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末からの要求に対応して、該広告希望者側端末に表示するために、該広告希望者側端末に送信する第２入力画面データ送信工程」としてもよい。また、上記第１０の構成を以下のようにしてもよい。すなわち、「サーバコンピュータにより、広告を付した物品である広告掲載物の取得を希望する物品取得希望者と、広告掲載物の提供を希望する広告希望者との間の仲介を行う広告仲介方法であって、１又は複数の画面から構成され、広告掲載物の取得の申込みを行うための第１入力画面であって、広告掲載物についての物品の種類の情報を入力するとともに、物品取得希望者についての情報である物品取得希望者情報であって、該物品取得希望者を特定するための情報からなる物品取得希望者情報を入力するための該第１入力画面のデータである第１入力画面データを記憶する第１入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、該物品取得希望者側端末より受信したデータであって、該第１入力画面に入力されたデータ又はこれに対応するデータ（「該第１入力画面に入力されたデータ」としてもよい）の少なくとも一部を（「該第１入力画面に入力されたデータを」としてもよい）、広告掲載物取得の申込みごとに、物品取得希望者からの申込みに関する情報と広告希望者からの申込みに関する情報とを記憶するための管理データ記憶手段に登録する第１登録工程と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末に表示するために、該広告希望者側端末に送信する第２入力画面データ送信工程と、該広告希望者側端末より受信したデータであって、該第２入力画面に入力されたデータ又はこれに対応するデータ（「該第２入力画面に入力されたデータ」としてもよい）の少なくとも一部を（「該第２入力画面に入力されたデータを」としてもよい）、上記管理データ記憶手段に登録する第２登録工程と、を有することを特徴とする広告仲介方法。」としてもよい。
【手続補正１１】
【補正対象書類名】明細書
【補正対象項目名】００３５
【補正方法】変更
【補正の内容】
【００３５】
また、第１４には、サーバコンピュータにより、広告を付した物品である広告掲載物の取得を希望する物品取得希望者と、広告掲載物の提供を希望する広告希望者との間の仲介を行う広告仲介方法であって、１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、広告希望者情報における少なくとも一部の情報と、を記憶するための管理データ記憶手段に登録する第１登録工程と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されるとともに、表示された申込みの中から所望の申込みを選択する入力が可能な第２入力画面で、広告希望者についての情報であって、広告希望者を特定するための情報である広告希望者情報を入力するための第２入力画面を広告希望者側の端末である広告希望者側端末に表示するために、該第２入力画面のデータを該広告希望者側端末に送信する第２入力画面データ送信工程と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録工程と、を有することを特徴とする。


【手続補正１２】
【補正対象書類名】明細書
【補正対象項目名】００３６
【補正方法】変更
【補正の内容】
【００３６】
この第１４の構成の広告仲介方法においては、該物品取得希望者側端末からの要求に対応する等して、第１入力画面データ送信工程において、該入力画面データ記憶手段に記憶されている第１入力画面データが該物品取得希望者側端末に送信される。すると、該物品取得希望者側端末においては、第１入力画面が表示される。そして、この物品取得希望者側端末において、広告掲載物についての物品の種類の情報を入力するとともに、物品取得希望者についての情報である物品取得希望者情報であって、該物品取得希望者情報を特定するための情報からなる物品取得希望者情報を入力すると、第１登録工程において、第１入力画面に入力されたデータ又はこれに対応するデータの少なくとも一部が、広告掲載物取得の申込みごとに該管理データ記憶手段に登録される。一方、該広告希望者側端末からの要求に対応する等して、第２入力画面データ送信工程において、第２入力画面のデータが該広告希望者側端末に送信される。すると、該広告希望者側端末においては、第２入力画面が表示される。そして、この広告希望者側端末において、表示された申込みの中から所望の申込みを選択する入力を行うとともに、広告希望者についての情報であって、広告希望者を特定するための情報である広告希望者情報を入力すると、第２登録工程により、該第２入力画面に入力されたデータ又はこれに対応するデータの少なくとも一部が、上記管理データ記憶手段に登録される。


【手続補正１３】
【補正対象書類名】明細書
【補正対象項目名】００３８
【補正方法】変更
【補正の内容】
【００３８】
なお、この第１４の構成における上記第１入力画面データ送信工程の内容を「１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段に記憶されている第１入力画面データを、該第１入力画面を物品取得希望者側の端末である物品取得希望者側端末からの要求に対応して、該物品取得希望者側端末に表示するために、該物品取得希望者側端末に送信する第１入力画面データ送信工程」としてもよく、また、上記第２入力画面データ送信工程の内容を「１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末からの要求に対応して、該広告希望者側端末に表示するために、該広告希望者側端末に送信する第２入力画面データ送信工程」としてもよい。また、上記第１４の構成を以下のようにしてもよい。すなわち、「サーバコンピュータにより、広告を付した物品である広告掲載物の取得を希望する物品取得希望者と、広告掲載物の提供を希望する広告希望者との間の仲介を行う広告仲介方法であって、１又は複数の画面から構成され、広告掲載物の取得の申込みを行うための第１入力画面であって、広告掲載物についての物品の種類の情報を入力するとともに、入力した種類の物品についての属性であって複数の選択肢が定められた属性の中から所望の選択肢を選択して入力するとともに、希望する個数についての情報を入力し、さらに、物品取得希望者についての情報である物品取得希望者情報であって、複数の構成員からなる団体の団体名についての情報である団体名情報と、団体の活動場所についての情報である活動場所情報と、団体の種類についての情報である団体種類情報と、を含む物品取得希望者情報を入力するための該第１入力画面のデータを記憶する第１入力画面データ記憶手段に記憶されている第１入力画面データを、該第１入力画面を物品取得希望者側の端末である物品取得希望者側端末に表示するために、該物品取得希望者側端末に送信する第１入力画面データ送信工程と、該物品取得希望者側端末より受信したデータであって、該第１入力画面に入力されたデータの少なくとも一部（「該第１入力画面に入力されたデータ」としてもよい）又は該第１入力画面に入力されたデータに対応するデータの少なくとも一部（「該第１入力画面に入力されたデータに対応するデータ」としてもよい）を（「該第１入力画面に入力されたデータを」としてもよい）、広告掲載物取得の申込みごとに、上記物品取得希望者情報における少なくとも一部の情報と、広告掲載物についての物品に関する情報である物品情報であって、物品の種類についての情報と、物品の属性における選択された選択肢についての情報と、希望する個数についての情報と、を有する物品情報と、広告希望者情報における少なくとも一部の情報と、を記憶するための管理データ記憶手段に登録する第１登録工程と、１又は複数の画面から構成され、広告掲載物の提供の申込みを行うための第２入力画面であって、該管理データ記憶手段に記憶されたデータで、第１入力画面に入力されたデータの少なくとも一部が広告掲載物取得の申込みごとに表示されているとともに、表示された申込みの中から所望の申込みを選択する入力が可能な第２入力画面で、広告希望者についての情報であって、広告希望者を特定するための情報である広告希望者情報を入力するための第２入力画面のデータである第２入力画面データを記憶する第２入力画面データ記憶手段に記憶されている第２入力画面データを、該第２入力画面を広告希望者側の端末である広告希望者側端末に表示するために、該広告希望者側端末に送信する第２入力画面データ送信工程と、該広告希望者側端末より受信したデータであって、該第２入力画面に入力されたデータの少なくとも一部（「該第２入力画面に入力されたデータ」としてもよい）又は該第２入力画面に入力されたデータに対応するデータの少なくとも一部（「該第２入力画面に入力されたデータに対応するデータ」としてもよい）を（「該第２入力画面に入力されたデータを」としてもよい）、上記管理データ記憶手段に登録する第２登録工程と、を有することを特徴とする広告仲介方法。」としてもよい。